(57)【特許請求の範囲】
【請求項１】
基地局からの無線信号の受信品質に応じて、移動端末による、前記無線信号とは異なる回線状況に関する所定の測定の測定周期及び／又は前記所定の測定のオン・オフを決定し、
前記決定に基づいて、前記所定の測定の実行を制御し、
前記所定の測定は、前記移動端末から前記基地局へ送信する回線状況の測定報告の作成のための測定を含む、ことを特徴とする移動端末。
【請求項２】
前記基地局からのパイロット信号の受信品質が、
予め定められた閾値よりも高い場合、前記所定の測定をオフとし、
前記予め定められた閾値以下の場合、前記所定の測定をオンとする、ことを特徴とする請求項１記載の移動端末。
【請求項３】
基地局からの無線信号の受信品質に応じて、移動端末による、前記無線信号とは異なる回線状況に関する所定の測定の測定周期及び／又は前記所定の測定のオン・オフを決定し、
前記決定に基づいて、前記所定の測定の実行を制御し、
第１の測定周期で一のセルの基地局からのパイロット信号の受信品質を測定し、前記測定の結果、前記パイロット信号の受信品質が予め定められた第１の閾値よりも低い値であり、且つ、予め定められた第２の閾値よりも高い値である場合、他のセルの基地局からのパイロット信号の受信品質を第２の測定周期で測定する、ことを特徴とする移動端末。
【請求項４】
前記一のセルの基地局からのパイロット信号の受信品質の測定の結果、前記一のセルの基地局からのパイロット信号の受信品質が前記第２の閾値以下の場合、
他のセルの基地局からのパイロット信号の受信品質を第３の測定周期で測定し、
前記一のセルの基地局からのパイロット信号の受信品質が前記第１の閾値以上の場合、他のセルの基地局からのパイロット信号の受信品質の測定は行わないように制御する、ことを特徴とする請求項３記載の移動端末。
【請求項５】
基地局からの無線信号の受信品質に応じて、移動端末による、前記無線信号とは異なる回線状況に関する所定の測定の測定周期及び／又は前記所定の測定のオン・オフを決定し、
前記決定に基づいて、前記所定の測定の実行を制御し、
前記基地局からのパイロット信号の受信品質が予め定められた閾値以下のとき、前記移動端末に配設された測定報告管理用のタイマーをスタートさせ、
前記パイロット信号の受信品質が前記予め定められた閾値以下の状態から前記予め定められた閾値を越えた場合、前記予め定められた閾値を越えている間、前記タイマーの計時動作を停止させ、
前記パイロット信号の受信品質が、前記予め定められた閾値以下になると、前記タイマーの計時動作を再開させ、
前記タイマーのタイムアウト発生時に、前記所定の測定の報告を記録する、ことを特徴とする移動端末。
【請求項６】
基地局からの無線信号の受信品質に応じて、移動端末による、前記無線信号とは異なる回線状況に関する所定の測定の測定周期及び／又は前記所定の測定のオン・オフを決定し、
前記決定に基づいて、前記所定の測定の実行を制御し、
前記基地局からのパイロット信号の受信品質が予め定められた閾値以下のとき、前記移動端末に配設された測定報告管理用の第１のタイマーをスタートさせ、
前記パイロット信号の受信品質が予め定められた閾値以下のまま、前記第１のタイマーのタイムアウト発生時に、前記所定の測定の報告を記録するとともに、前記移動端末に配設された第２のタイマーをスタートさせ、
前記第２のタイマーの計時動作中、前記所定の測定を禁止する制御を行う、ことを特徴とする移動端末。
【請求項７】
基地局からの無線信号の受信品質に応じて、移動端末による、前記無線信号とは異なる回線状況に関する所定の測定の測定周期及び／又は前記所定の測定のオン・オフを決定し、
前記決定に基づいて、前記所定の測定の実行を制御し、
前記基地局からのパイロット信号の受信品質が予め定められた閾値以下のとき、前記移動端末に配設された測定報告管理用の第１のタイマーをスタートさせ、
前記パイロット信号の受信品質が予め定められた閾値を越えたときに、前記第１のタイマーを停止させるとともに、リセット用の第２のタイマーをスタートさせ、
前記第２のタイマーのタイムアウト時、前記第１のタイマーをリセットする、ことを特徴とする移動端末。
【請求項８】
セルの無線品質を予め定められた閾値と比較し、前記セルの無線品質が前記閾値よりも高いか低いかに応じて、移動端末による、前記無線信号とは異なる回線状況の測定をコントロールし、
一のセルの無線品質が予め定められた閾値以下になったとき、前記移動端末に配設された第１のタイマーをスタートさせ、前記一のセルの隣接セルの無線品質の測定を周期的に行い、
前記一のセルの無線品質が前記予め定められた閾値以下のまま前記第１のタイマーのタイムアウト発生時に、前記測定の報告を記録するとともに、前記移動端末に配設された第２のタイマーをスタートさせ、
前記第２のタイマーの計時動作中は、前記測定を禁止する制御を行う、ことを特徴とする移動端末。
【請求項９】
基地局からの無線信号の受信品質に応じて、移動端末による、前記無線信号とは異なる回線状況に関する所定の測定の測定周期及び／又は前記所定の測定のオン・オフを決定し、
前記決定に基づいて、前記所定の測定の実行を制御し、
一のセルの無線品質が予め定められた閾値以下になったとき、前記移動端末に配設されたタイマーをスタートさせ、前記一のセルに隣接するセルの無線品質の測定を周期的に行い、
前記一のセルの無線品質が前記予め定められた閾値以下の状態から前記予め定められた閾値を越えた場合、前記一のセルの無線品質が前記予め定められた閾値を越えている間、前記タイマーの計時動作を停止させるとともに、隣接セルの無線品質の周期的な測定を停止し、
前記一のセルの無線品質が、前記予め定められた閾値以下になると、前記タイマーの計時動作を再開させ、
前記タイマーのタイムアウト発生時に、測定の報告を記録する、ことを特徴とする移動端末。
【請求項１０】
基地局からの無線信号の受信品質に応じて、移動端末による、前記無線信号とは異なる回線状況に関する所定の測定の測定周期及び／又は前記所定の測定のオン・オフを決定し、
前記決定に基づいて、前記所定の測定の実行を制御し、
一のセルの無線品質が予め定められた閾値以下になったとき、前記移動端末に配設された第１のタイマーをスタートさせ、前記一のセルの隣接セルの無線品質の測定を周期的に行い、
前記一のセルの無線品質が前記予め定められた閾値以下のまま前記第１のタイマーのタイムアウト発生時に、前記測定の報告を記録するとともに、前記移動端末に配設された第２のタイマーをスタートさせ、
前記第２のタイマーの計時動作中は、前記測定を禁止する制御を行う、ことを特徴とする移動端末。
【請求項１１】
セルの無線品質を予め定められた閾値と比較し、前記セルの無線品質が前記閾値よりも高いか低いかに応じて、移動端末による、前記無線信号とは異なる回線状況の測定をコントロールし、
一のセルの無線品質が予め定められた閾値以下になったとき、前記移動端末に配設された第１のタイマーをスタートさせ、前記一のセルの隣接セルの無線品質の測定を周期的に行い、
前記一のセルの無線品質が前記予め定められた閾値以下のまま前記第１のタイマーのタイムアウト発生時に、前記測定の報告を記録するとともに、前記移動端末に配設された第２のタイマーをスタートさせ、
前記第２のタイマーの計時動作中は、前記測定を禁止する制御を行う、ことを特徴とする移動端末。
【請求項１２】
基地局からの無線信号の受信品質に応じて、移動端末による、前記無線信号とは異なる回線状況に関する所定の測定の測定周期及び／又は前記所定の測定のオン・オフを決定し、
前記決定に基づいて、前記所定の測定の実行を制御し、
一のセルの無線品質が予め定められた閾値以下になったとき、前記移動端末に配設された第１のタイマーをスタートさせ、前記一のセルの隣接セルの無線品質の測定を周期的に行い、
前記一のセルの無線品質が前記予め定められた閾値を越えると、前記第１のタイマーを停止させるとともに、前記移動端末に配設された第２のタイマーをスタートさせ、
前記第１のタイマーが停止状態であり、且つ、前記無線品質が予め定められた閾値を越えた状態のまま、前記第２のタイマーがタイムアウトしたとき、前記第１のタイマーをリセットする制御を行う、ことを特徴とする移動端末。
【請求項１３】
セルの無線品質を予め定められた閾値と比較し、前記セルの無線品質が前記閾値よりも高いか低いかに応じて、移動端末による、前記無線信号とは異なる回線状況の測定をコントロールし、
一のセルの無線品質が予め定められた閾値以下になったとき、前記移動端末に配設された第１のタイマーをスタートさせ、前記一のセルの隣接セルの無線品質の測定を周期的に行い、
前記一のセルの無線品質が前記予め定められた閾値を越えると、前記第１のタイマーを停止させるとともに、前記移動端末に配設された第２のタイマーをスタートさせ、
前記第１のタイマーが停止状態であり、且つ、前記無線品質が予め定められた閾値を越えた状態のまま、前記第２のタイマーがタイムアウトしたとき、前記第１のタイマーをリセットする制御を行う、ことを特徴とする移動端末。
【請求項１４】
基地局からの無線信号の受信品質に応じて、移動端末による、前記無線信号とは異なる回線状況に関する所定の測定の測定周期及び／又は前記所定の測定のオン・オフを決定し、
前記決定に基づいて、前記所定の測定の実行を制御し、
ハンドオーバ時、ハンドオーバ元のセルの無線品質が予め定められた閾値以下となった場合、前記移動端末に配設された測定報告管理用のタイマーをスタートさせ、ハンドオーバ完了時、前記タイマーをストップさせる、ことを特徴とする移動端末。
【請求項１５】
セルの無線品質を予め定められた閾値と比較し、前記セルの無線品質が前記閾値よりも高いか低いかに応じて、移動端末による、前記無線信号とは異なる回線状況の測定をコントロールし、
ハンドオーバ時、ハンドオーバ元のセルの無線品質が予め定められた閾値以下となった場合、前記移動端末に配設された測定報告管理用のタイマーをスタートさせ、ハンドオーバ完了時、前記タイマーをストップさせる、ことを特徴とする移動端末。
【請求項１６】
セルの無線品質を予め定められた閾値と比較し、前記セルの無線品質が前記閾値よりも高いか低いかに応じて、移動端末による、前記無線信号とは異なる回線状況の測定をコントロールし、
前記閾値を、セルの無線品質が常に前記閾値を越える所定の値に設定し、ハンドオーバ時、ハンドオーバ元のセルの無線品質が予め定められた閾値以下となった場合、前記移動端末に配設され測定報告に関する時間を管理するタイマーをスタートさせないようにするか、
前記タイマーのタイムアウト時間を、ハンドオーバに要する時間よりも長く設定する、ことを特徴とする移動端末。
【請求項１７】
セルの無線品質を予め定められた閾値と比較し、前記セルの無線品質が前記閾値よりも高いか低いかに応じて、移動端末による、前記無線信号とは異なる回線状況の測定をコントロールし、
アクティブモード又はアイドルモードでのハンドオーバ時、前記閾値に関連した処理をキャンセルする、ことを特徴とする移動端末。
【請求項１８】
セルの無線品質を予め定められた閾値と比較し、前記セルの無線品質が前記閾値よりも高いか低いかに応じて、移動端末による、前記無線信号とは異なる回線状況の測定をコントロールし、
ネットワーク境界のセルにおいて前記閾値を所定の値とし、セルの無線品質が前記閾値を越えることで、前記ネットワーク境界のセルでは前記測定を禁止する、ことを特徴とする移動端末。
【請求項１９】
セルの無線品質を予め定められた閾値と比較し、前記セルの無線品質が前記閾値よりも高いか低いかに応じて、移動端末による、前記無線信号とは異なる回線状況の測定をコントロールし、
複数のキャリア／ＲＡＴ（Ｒａｄｉｏ  Ａｃｃｅｓｓ  Ｔｅｃｈｎｏｌｏｇｙ）に接続し、キャリア／ＲＡＴのそれぞれに対応して、前記閾値、又は、前記移動端末に配設され測定報告に関する時間を管理するタイマーのタイムアウト時間を設定する、ことを特徴とする移動端末。
【請求項２０】
１つのキャリア／ＲＡＴから他のキャリア／ＲＡＴへのキャリア／ＲＡＴ間のハンドオーバに要する時間を考慮して、前記タイマーのパラメータを設定する、ことを特徴とする請求項１９記載の移動端末。
【請求項２１】
１つのキャリア／ＲＡＴから他のキャリア／ＲＡＴへのキャリア／ＲＡＴ間のハンドオーバ時、前記閾値に関連した処理をキャンセルする、ことを特徴とする請求項１９記載の移動端末。
【請求項２２】
セルの無線品質を予め定められた閾値と比較し、前記セルの無線品質が前記閾値よりも高いか低いかに応じて、移動端末による、前記無線信号とは異なる回線状況の測定をコントロールし、
ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  ｎｅｔｗｏｒｋ）の受信品質が予め定められた第１の閾値以下のとき、前記移動端末に配設された測定報告管理用の第１のタイマーをスタートさせ、前記ＭＢＳＦＮの受信品質の測定を周期的に行い、
前記第１のタイマーのタイムアウト発生時に、測定の報告を記録するとともに、前記移動端末に配設され測定禁止を管理する第２のタイマーをスタートさせ、
前記第２のタイマーのタイムアウト時、前記第１のタイマーをスタートさせ、前記ＭＢＳＦＮの受信品質の測定を周期的に行う、ことを特徴とする移動端末。
【請求項２３】
前記第２のタイマーのタイムアウト発生時にスタートした前記第１のタイマーのタイムアウト発生時に、前記測定の報告を記録するとともに、前記第２のタイマーをスタートさせ、
前記第２のタイマーのタイムアウト発生時に、前記移動端末に配設された第３のタイマーをスタートさせ、前記ＭＢＳＦＮの受信品質を前記第３のタイマーにしたがって周期的に測定し、
前記ＭＢＳＦＮの受信品質が予め定められた第２の閾値より低い場合には、前記第３のタイマーのタイムアウト発生時に、前記第２のタイマーをスタートさせる、ことを特徴とする請求項２２記載の移動端末。
【請求項２４】
前記第１乃至第３のタイマーのタイムアウト発生時、前記第１及び第２の閾値は、対応するＭＣＣＨ（ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）  Ｃｏｎｔｒｏｌ  ＣＨａｎｎｅｌ）伝送に対する制御情報の一部としてＭＣＣＨ経由で移動端末に送信される、ことを特徴とする請求項２３記載の移動端末。
【請求項２５】
基地局と、
請求項１乃至２４のいずれか１項に記載の移動端末と、
を含む、ことを特徴とする無線通信システム。
【請求項２６】
基地局からの無線信号の受信品質に応じて、移動端末による、前記無線信号とは異なる回線状況に関する所定の測定の測定周期及び／又は測定のオン・オフを決定し、前記決定に基づいて前記所定の測定の実行を制御する前記移動端末に対して、前記無線信号を送信し、前記移動端末から、移動端末による、前記無線信号とは異なる前記所定の測定の報告を受信する、ことを特徴とする基地局。
【請求項２７】
基地局からの無線信号の受信品質に応じて、移動端末による、前記無線信号とは異なる回線状況に関する所定の測定の測定周期及び／又は測定のオン・オフを決定し、前記決定に基づいて前記所定の測定の実行を制御する前記移動端末から、前記基地局を介して送信される回線状況の測定結果の報告を受信し、前記測定の報告に基づき、無線パラメータの最適化を行う、ことを特徴とする管理サーバ。
【請求項２８】
移動端末が、基地局からの無線信号の受信品質に応じて、前記移動端末による、前記無線信号とは異なる回線状況に関する所定の測定の測定周期及び／又は前記所定の測定のオン・オフを決定し、
前記移動端末は、前記決定に基づいて、前記所定の測定の実行を制御し、
前記所定の測定は、前記移動端末から前記基地局へ送信する回線状況の測定報告の作成のための測定を含む、ことを特徴とする無線通信方法。
【請求項２９】
移動端末が、基地局からの無線信号の受信品質に応じて、前記移動端末による、前記無線信号とは異なる回線状況に関する所定の測定の測定周期及び／又は前記所定の測定のオン・オフを決定し、
前記移動端末は、前記決定に基づいて、前記所定の測定の実行を制御し、
前記移動端末において、
一のセルの無線品質が予め定められた閾値以下になったとき、前記移動端末に配設されたタイマーをスタートさせ、前記一のセルに隣接するセルの無線品質の測定を周期的に行い、
前記一のセルの無線品質が前記予め定められた閾値以下の状態から前記予め定められた閾値を越えた場合、前記一のセルの無線品質が前記予め定められた閾値を越えている間、前記タイマーの計時動作を停止させるとともに、隣接セルの無線品質の周期的な測定を停止させ、
前記一のセルの無線品質が、前記予め定められた閾値以下になると、前記タイマーの計時動作を再開させ、
前記タイマーのタイムアウト発生時に、測定の報告を記録する、ことを特徴とする無線通信方法。
【請求項３０】
移動端末が、セルの無線品質を予め定められた閾値と比較し、前記セルの無線品質が前記閾値よりも高いか低いかに応じて、前記移動端末による、前記無線信号とは異なる回線状況の測定をコントロールし、
前記移動端末において、
一のセルの無線品質が予め定められた閾値以下になったとき、前記移動端末に配設されたタイマーをスタートさせ、前記一のセルに隣接するセルの無線品質の測定を周期的に行い、
前記一のセルの無線品質が前記予め定められた閾値以下の状態から前記予め定められた閾値を越えた場合、前記一のセルの無線品質が前記予め定められた閾値を越えている間、前記タイマーの計時動作を停止させるとともに、隣接セルの無線品質の周期的な測定を停止させ、
前記一のセルの無線品質が、前記予め定められた閾値以下になると、前記タイマーの計時動作を再開させ、
前記タイマーのタイムアウト発生時に、測定の報告を記録する、ことを特徴とする無線通信方法。
【請求項３１】
移動端末が、基地局からの無線信号の受信品質に応じて、前記移動端末による、前記無線信号とは異なる回線状況に関する所定の測定の測定周期及び／又は前記所定の測定のオン・オフを決定し、
前記移動端末は、前記決定に基づいて、前記所定の測定の実行を制御し、
前記移動端末において、
一のセルの無線品質が予め定められた閾値以下になったとき、前記移動端末に配設された第１のタイマーをスタートさせ、前記一のセルの隣接セルの無線品質の測定を周期的に行い、
前記一のセルの無線品質が前記予め定められた閾値以下のまま前記第１のタイマーのタイムアウト発生時に、前記測定の報告を記録するとともに、前記移動端末に配設された第２のタイマーをスタートさせ、
前記第２のタイマーの計時動作中は、前記測定を禁止する制御を行う、ことを特徴とする無線通信方法。
【請求項３２】
移動端末が、セルの無線品質を予め定められた閾値と比較し、前記セルの無線品質が前記閾値よりも高いか低いかに応じて、前記移動端末による、前記無線信号とは異なる回線状況の測定をコントロールし、
前記移動端末において、
一のセルの無線品質が予め定められた閾値以下になったとき、前記移動端末に配設された第１のタイマーをスタートさせ、前記一のセルの隣接セルの無線品質の測定を周期的に行い、
前記一のセルの無線品質が前記予め定められた閾値以下のまま前記第１のタイマーのタイムアウト発生時に、前記測定の報告を記録するとともに、前記移動端末に配設された第２のタイマーをスタートさせ、
前記第２のタイマーの計時動作中は、前記測定を禁止する制御を行う、ことを特徴とする無線通信方法。
【請求項３３】
移動端末が、基地局からの無線信号の受信品質に応じて、前記移動端末による、前記無線信号とは異なる回線状況に関する所定の測定の測定周期及び／又は前記所定の測定のオン・オフを決定し、
前記移動端末は、前記決定に基づいて、前記所定の測定の実行を制御し、
前記移動端末において、
一のセルの無線品質が予め定められた閾値以下になったとき、前記移動端末に配設された第１のタイマーをスタートさせ、前記一のセルの隣接セルの無線品質の測定を周期的に行い、
前記一のセルの無線品質が前記予め定められた閾値を越えると、前記第１のタイマーを停止させるとともに、前記移動端末に配設された第２のタイマーをスタートさせ、
前記第１のタイマーが停止状態であり、前記無線品質が予め定められた閾値を越えた状態のまま、前記第２のタイマーがタイムアウトしたとき、前記第１のタイマーをリセットする制御を行う、ことを特徴とする無線通信方法。
【請求項３４】
移動端末が、セルの無線品質を予め定められた閾値と比較し、前記セルの無線品質が前記閾値よりも高いか低いかに応じて、前記移動端末による、前記無線信号とは異なる回線状況の測定をコントロールし、
前記移動端末において、
一のセルの無線品質が予め定められた閾値以下になったとき、前記移動端末に配設された第１のタイマーをスタートさせ、前記一のセルの隣接セルの無線品質の測定を周期的に行い、
前記一のセルの無線品質が前記予め定められた閾値を越えると、前記第１のタイマーを停止させるとともに、前記移動端末に配設された第２のタイマーをスタートさせ、
前記第１のタイマーが停止状態であり、前記無線品質が予め定められた閾値を越えた状態のまま、前記第２のタイマーがタイムアウトしたとき、前記第１のタイマーをリセットする制御を行う、ことを特徴とする無線通信方法。
【請求項３５】
移動端末が、基地局からの無線信号の受信品質に応じて、前記移動端末による、前記無線信号とは異なる回線状況に関する所定の測定の測定周期及び／又は前記所定の測定のオン・オフを決定し、
前記移動端末は、前記決定に基づいて、前記所定の測定の実行を制御し、
前記移動端末において、ハンドオーバ時、ハンドオーバ元のセルの無線品質が予め定められた閾値以下となった場合、前記移動端末に配設された測定報告管理用のタイマーをスタートさせ、ハンドオーバ完了時、前記タイマーをストップさせる、ことを特徴とする無線通信方法。
【請求項３６】
移動端末が、セルの無線品質を予め定められた閾値と比較し、前記セルの無線品質が前記閾値よりも高いか低いかに応じて、前記移動端末による、前記無線信号とは異なる回線状況の測定をコントロールし、
前記移動端末において、ハンドオーバ時、ハンドオーバ元のセルの無線品質が予め定められた閾値以下となった場合、前記移動端末に配設された測定報告管理用のタイマーをスタートさせ、ハンドオーバ完了時、前記タイマーをストップさせる、ことを特徴とする無線通信方法。
【請求項３７】
移動端末が、セルの無線品質を予め定められた閾値と比較し、前記セルの無線品質が前記閾値よりも高いか低いかに応じて、前記移動端末による、前記無線信号とは異なる回線状況の測定をコントロールし、
前記移動端末において、前記閾値を、セルの無線品質が常に前記閾値を越える所定の値に設定し、ハンドオーバ時、ハンドオーバ元のセルの無線品質が予め定められた閾値以下となった場合、前記移動端末に配設され測定報告に関する時間を管理するタイマーをスタートさせないようにするか、
前記タイマーのタイムアウト時間を、ハンドオーバに要する時間よりも長く設定する、ことを特徴とする無線通信方法。
【請求項３８】
移動端末が、セルの無線品質を予め定められた閾値と比較し、前記セルの無線品質が前記閾値よりも高いか低いかに応じて、前記移動端末による、前記無線信号とは異なる回線状況の測定をコントロールし、
前記移動端末において、アクティブモード又はアイドルモードでのハンドオーバ時、前記閾値に関連した処理をキャンセルする、ことを特徴とする無線通信方法。
【請求項３９】
移動端末が、セルの無線品質を予め定められた閾値と比較し、前記セルの無線品質が前記閾値よりも高いか低いかに応じて、前記移動端末による、前記無線信号とは異なる回線状況の測定をコントロールし、
前記移動端末において、ネットワーク境界のセルにおいて前記閾値を所定の値とし、セルの無線品質が前記閾値を越えることで、前記ネットワーク境界のセルでは前記測定を禁止する、ことを特徴とする無線通信方法。
【請求項４０】
移動端末が、セルの無線品質を予め定められた閾値と比較し、前記セルの無線品質が前記閾値よりも高いか低いかに応じて、前記移動端末による、前記無線信号とは異なる回線状況の測定をコントロールし、
前記移動端末が、複数のキャリア／ＲＡＴ（Ｒａｄｉｏ  Ａｃｃｅｓｓ  Ｔｅｃｈｎｏｌｏｇｙ）に接続し、キャリア／ＲＡＴのそれぞれに対応して、前記閾値、又は、前記移動端末に配設され測定報告に関する時間を管理するタイマーのタイムアウト時間を設定する、ことを特徴とする無線通信方法。
【請求項４１】
前記移動端末において、１つのキャリア／ＲＡＴから他のキャリア／ＲＡＴへのキャリア／ＲＡＴ間のハンドオーバに要する時間を考慮して、前記タイマーのパラメータを設定する、ことを特徴とする請求項４０記載の無線通信方法。
【請求項４２】
前記移動端末において、１つのキャリア／ＲＡＴから他のキャリア／ＲＡＴへのキャリア／ＲＡＴ間のハンドオーバ時、前記閾値に関連した処理をキャンセルする、ことを特徴とする請求項４０記載の無線通信方法。
【請求項４３】
移動端末が、基地局からの無線信号の受信品質に応じて、前記移動端末による、前記無線信号とは異なる回線状況に関する所定の測定の測定周期及び／又は前記所定の測定のオン・オフを決定し、
前記移動端末は、前記決定に基づいて、前記所定の測定の実行を制御し、
前記移動端末において、
ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  ｎｅｔｗｏｒｋ）の受信品質が予め定められた第１の閾値以下のとき、前記移動端末に配設された測定報告管理用の第１のタイマーをスタートさせ、前記ＭＢＳＦＮの受信品質の測定を周期的に行い、
前記第１のタイマーのタイムアウト発生時に、測定の報告を基地局に送信するか移動端末内部に記録するとともに、前記移動端末に配設され測定禁止を管理する第２のタイマーをスタートさせ、
前記第２のタイマーのタイムアウト時、前記第１のタイマーをスタートさせ、前記ＭＢＳＦＮの受信品質の測定を周期的に行う、ことを特徴とする無線通信方法。
【請求項４４】
移動端末が、セルの無線品質を予め定められた閾値と比較し、前記セルの無線品質が前記閾値よりも高いか低いかに応じて、前記移動端末による、前記無線信号とは異なる回線状況の測定をコントロールし、
前記移動端末において、
ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  ｎｅｔｗｏｒｋ）の受信品質が予め定められた第１の閾値以下のとき、前記移動端末に配設された測定報告管理用の第１のタイマーをスタートさせ、前記ＭＢＳＦＮの受信品質の測定を周期的に行い、
前記第１のタイマーのタイムアウト発生時に、測定の報告を基地局に送信するか移動端末内部に記録するとともに、前記移動端末に配設され測定禁止を管理する第２のタイマーをスタートさせ、
前記第２のタイマーのタイムアウト時、前記第１のタイマーをスタートさせ、前記ＭＢＳＦＮの受信品質の測定を周期的に行う、ことを特徴とする無線通信方法。
【請求項４５】
前記移動端末において、
前記第２のタイマーのタイムアウト発生時にスタートした前記第１のタイマーのタイムアウト発生時に、前記測定の報告を基地局に送信するか移動端末内部に記録するとともに、前記第２のタイマーをスタートさせ、
前記第２のタイマーのタイムアウト発生時に、前記移動端末に配設された第３のタイマーをスタートさせ、前記ＭＢＳＦＮの受信品質を前記第３のタイマーにしたがって周期的に測定し、
前記ＭＢＳＦＮの受信品質が予め定められた第２の閾値より低い場合には、前記第３のタイマーのタイムアウト発生時に、前記第２のタイマーをスタートさせる、ことを特徴とする請求項４３又は４４記載の無線通信方法。
【請求項４６】
前記第１乃至第３のタイマーのタイムアウト発生時、前記第１及び第２の閾値は、対応するＭＣＣＨ（ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）  Ｃｏｎｔｒｏｌ  ＣＨａｎｎｅｌ）伝送に対する制御情報の一部としてＭＣＣＨ経由で移動端末に送信される、ことを特徴とする請求項４５記載の無線通信方法。
【請求項４７】
基地局からの無線信号の受信品質に応じて、移動端末による、前記無線信号とは異なる回線状況に関する所定の測定の測定周期及び／又は前記所定の測定のオン・オフを決定し、
前記決定に基づいて前記所定の測定の実行を制御し、前記所定の測定は、前記移動端末から前記基地局へ送信する回線状況の測定報告の作成のための測定を含む処理を、前記移動端末を構成するコンピュータに実行させるプログラム。
【請求項４８】
基地局からの無線信号の受信品質に応じて、移動端末による、前記無線信号とは異なる回線状況に関する所定の測定の測定周期及び／又は前記所定の測定のオン・オフを決定し、
前記決定に基づいて前記所定の測定の実行を制御し、
一のセルの無線品質が予め定められた閾値以下になったとき、前記移動端末に配設されたタイマーをスタートさせ、前記一のセルに隣接するセルの無線品質の測定を周期的に行い、
前記一のセルの無線品質が前記予め定められた閾値以下の状態から前記予め定められた閾値を越えた場合、前記予め定められた閾値を越えている間、前記タイマーの計時動作を停止させるとともに、隣接セルの無線品質の周期的な測定を停止させ、
前記一のセルの無線品質が、前記予め定められた閾値以下になると、前記タイマーの計時動作を再開させ、
前記タイマーのタイムアウト発生時に、測定の報告を記録する、
処理を前記移動端末を構成するコンピュータに実行させるプログラム。
【請求項４９】
セルの無線品質を予め定められた閾値と比較し、前記セルの無線品質が前記閾値よりも高いか低いかに応じて、移動端末による、前記無線信号とは異なる回線状況の測定をコントロールし、
一のセルの無線品質が予め定められた閾値以下になったとき、前記移動端末に配設されたタイマーをスタートさせ、前記一のセルに隣接するセルの無線品質の測定を周期的に行い、
前記一のセルの無線品質が前記予め定められた閾値以下の状態から前記予め定められた閾値を越えた場合、前記予め定められた閾値を越えている間、前記タイマーの計時動作を停止させるとともに、隣接セルの無線品質の周期的な測定を停止させ、
前記一のセルの無線品質が、前記予め定められた閾値以下になると、前記タイマーの計時動作を再開させ、
前記タイマーのタイムアウト発生時に、測定の報告を記録する、
処理を前記移動端末を構成するコンピュータに実行させるプログラム。
【請求項５０】
基地局からの無線信号の受信品質に応じて、移動端末による、前記無線信号とは異なる回線状況に関する所定の測定の測定周期及び／又は前記所定の測定のオン・オフを決定し、
前記決定に基づいて前記所定の測定の実行を制御し、
一のセルの無線品質が予め定められた閾値以下になったとき、前記移動端末に配設された第１のタイマーをスタートさせ、前記一のセルの隣接セルの無線品質の測定を周期的に行い、
前記一のセルの無線品質が前記予め定められた閾値以下のまま前記第１のタイマーのタイムアウト発生時に、前記測定の報告を記録するとともに、前記移動端末に配設された第２のタイマーをスタートさせ、
前記第２のタイマーの計時動作中は、前記測定を禁止する制御を行う、
処理を前記移動端末を構成するコンピュータに実行させるプログラム。
【請求項５１】
セルの無線品質を予め定められた閾値と比較し、前記セルの無線品質が前記閾値よりも高いか低いかに応じて、移動端末による、前記無線信号とは異なる回線状況の測定をコントロールし、
一のセルの無線品質が予め定められた閾値以下になったとき、前記移動端末に配設された第１のタイマーをスタートさせ、前記一のセルの隣接セルの無線品質の測定を周期的に行い、
前記一のセルの無線品質が前記予め定められた閾値以下のまま前記第１のタイマーのタイムアウト発生時に、前記測定の報告を記録するとともに、前記移動端末に配設された第２のタイマーをスタートさせ、
前記第２のタイマーの計時動作中は、前記測定を禁止する制御を行う、
処理を前記移動端末を構成するコンピュータに実行させるプログラム。
【請求項５２】
基地局からの無線信号の受信品質に応じて、移動端末による、前記無線信号とは異なる回線状況に関する所定の測定の測定周期及び／又は前記所定の測定のオン・オフを決定し、
前記決定に基づいて前記所定の測定の実行を制御し、
一のセルの無線品質が予め定められた閾値以下になったとき、前記移動端末に配設された第１のタイマーをスタートさせ、前記一のセルの隣接セルの無線品質の測定を周期的に行い、
前記一のセルの無線品質が前記予め定められた閾値を越えると、前記第１のタイマーを停止させるとともに、前記移動端末に配設された第２のタイマーをスタートさせ、
前記第１のタイマーが停止状態であり、前記無線品質が予め定められた閾値を越えた状態のまま、前記第２のタイマーがタイムアウトしたとき、前記第１のタイマーをリセットする制御を行う、
処理を前記移動端末を構成するコンピュータに実行させるプログラム。
【請求項５３】
セルの無線品質を予め定められた閾値と比較し、前記セルの無線品質が前記閾値よりも高いか低いかに応じて、移動端末による、前記無線信号とは異なる回線状況の測定をコントロールし、
一のセルの無線品質が予め定められた閾値以下になったとき、前記移動端末に配設された第１のタイマーをスタートさせ、前記一のセルの隣接セルの無線品質の測定を周期的に行い、
前記一のセルの無線品質が前記予め定められた閾値を越えると、前記第１のタイマーを停止させるとともに、前記移動端末に配設された第２のタイマーをスタートさせ、
前記第１のタイマーが停止状態であり、前記無線品質が予め定められた閾値を越えた状態のまま、前記第２のタイマーがタイムアウトしたとき、前記第１のタイマーをリセットする制御を行う、
処理を前記移動端末を構成するコンピュータに実行させるプログラム。
【請求項５４】
基地局からの無線信号の受信品質に応じて、移動端末による、前記無線信号とは異なる回線状況に関する所定の測定の測定周期及び／又は前記所定の測定のオン・オフを決定し、
前記決定に基づいて前記所定の測定の実行を制御し、
ハンドオーバ時、ハンドオーバ元のセルの無線品質が予め定められた閾値以下となった場合、前記移動端末に配設された測定報告管理用のタイマーをスタートさせ、ハンドオーバ完了時、前記タイマーをストップさせる処理を前記移動端末を構成するコンピュータに実行させるプログラム。
【請求項５５】
セルの無線品質を予め定められた閾値と比較し、前記セルの無線品質が前記閾値よりも高いか低いかに応じて、移動端末による、前記無線信号とは異なる回線状況の測定をコントロールし、
ハンドオーバ時、ハンドオーバ元のセルの無線品質が予め定められた閾値以下となった場合、前記移動端末に配設された測定報告管理用のタイマーをスタートさせ、ハンドオーバ完了時、前記タイマーをストップさせる処理を前記移動端末を構成するコンピュータに実行させるプログラム。
【請求項５６】
セルの無線品質を予め定められた閾値と比較し、前記セルの無線品質が前記閾値よりも高いか低いかに応じて、移動端末による、前記無線信号とは異なる回線状況の測定をコントロールし、
前記閾値を、セルの無線品質が常に前記閾値を越える所定の値に設定し、ハンドオーバ時、ハンドオーバ元のセルの無線品質が予め定められた閾値以下となった場合、前記移動端末に配設された測定報告に関する時間を管理するタイマーをスタートさせないようにするか、
前記タイマーのタイムアウト時間を、ハンドオーバに要する時間よりも長く設定する、処理を前記移動端末を構成するコンピュータに実行させるプログラム。
【請求項５７】
セルの無線品質を予め定められた閾値と比較し、前記セルの無線品質が前記閾値よりも高いか低いかに応じて、移動端末による、前記無線信号とは異なる回線状況の測定をコントロールし、
アクティブモード又はアイドルモードのハンドオーバ時、前記閾値に関連した処理をキャンセルする処理を前記移動端末を構成するコンピュータに実行させるプログラム。
【請求項５８】
セルの無線品質を予め定められた閾値と比較し、前記セルの無線品質が前記閾値よりも高いか低いかに応じて、移動端末による、前記無線信号とは異なる回線状況の測定をコントロールし、
ネットワーク境界のセルにおいて前記閾値を所定の値とし、セルの無線品質が前記閾値を越えることで、ネットワーク境界のセルでは前記測定を禁止する処理を前記移動端末を構成するコンピュータに実行させるプログラム。
【請求項５９】
セルの無線品質を予め定められた閾値と比較し、前記セルの無線品質が前記閾値よりも高いか低いかに応じて、移動端末による、前記無線信号とは異なる回線状況の測定をコントロールし、
複数のキャリア／ＲＡＴ（Ｒａｄｉｏ  Ａｃｃｅｓｓ  Ｔｅｃｈｎｏｌｏｇｙ）に接続し、キャリア／ＲＡＴのそれぞれに対応して、前記閾値、又は、前記移動端末に配設された測定報告に関する時間を管理するタイマーのタイムアウト時間を設定する処理を前記移動端末を構成するコンピュータに実行させるプログラム。
【請求項６０】
請求項５９記載のプログラムにおいて、
１つのキャリア／ＲＡＴから他のキャリア／ＲＡＴへのキャリア／ＲＡＴ間のハンドオーバに要する時間を考慮して、前記タイマーのパラメータを設定する処理を前記コンピュータに実行させるプログラム。
【請求項６１】
請求項５９記載のプログラムにおいて、
１つのキャリア／ＲＡＴから他のキャリア／ＲＡＴへのキャリア／ＲＡＴ間のハンドオーバ時、前記閾値に関連した処理をキャンセルする処理を前記コンピュータに実行させるプログラム。
【請求項６２】
セルの無線品質を予め定められた閾値と比較し、前記セルの無線品質が前記閾値よりも高いか低いかに応じて、移動端末による、前記無線信号とは異なる回線状況の測定をコントロールし、
ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  ｎｅｔｗｏｒｋ）の受信品質が予め定められた第１の閾値以下のとき、前記移動端末に配設された測定報告管理用の第１のタイマーをスタートさせ、前記ＭＢＳＦＮの受信品質の測定を周期的に行い、
前記第１のタイマーのタイムアウト発生時に、測定の報告を基地局に送信するか移動端末内部に記録するとともに、測定禁止を管理する第２のタイマーをスタートさせ、
前記第２のタイマーのタイムアウト時、前記第１のタイマーをスタートさせ、前記ＭＢＳＦＮの受信品質の測定を周期的に行う、
処理を前記移動端末を構成するコンピュータに実行させるプログラム。
【請求項６３】
請求項６２記載のプログラムにおいて、
前記第２のタイマーのタイムアウト発生時にスタートした前記第１のタイマーのタイムアウト発生時に、前記測定の報告を基地局に送信するか移動端末内部に記録するとともに、前記第２のタイマーをスタートさせ、
前記第２のタイマーのタイムアウト発生時に、第３のタイマーをスタートさせ、前記ＭＢＳＦＮの受信品質を周期的に測定し、
前記ＭＢＳＦＮの受信品質が予め定められた第２の閾値より低い場合には、前記第３のタイマーのタイムアウト発生時に、前記第２のタイマーをスタートさせる、
上記一連の処理を前記コンピュータに実行させるプログラム。
【請求項６４】
請求項６３記載のプログラムにおいて、
ＭＣＣＨ（ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）  Ｃｏｎｔｒｏｌ  ＣＨａｎｎｅｌ）伝送に対する制御情報の一部としてＭＣＣＨ経由で送信される前記第１乃至第３のタイマーのタイムアウト発生時、前記第１及び第２の閾値を受信する処理を前記コンピュータに実行させるプログラム。
【発明の詳細な説明】
【技術分野】
【０００１】
［関連出願の記載］
本発明は、日本国特許出願：特願２００７−２４９７５６号（２００７年９月２６日出願）の優先権主張に基づくものであり、同出願の全記載内容は引用をもって本書に組み込み記載されているものとする。
本発明は、無線通信システムに関し、特に、移動局で取得した回線状況の監視結果の基地局への報告を制御するシステム及び方法に関する。
【背景技術】
【０００２】
近時、携帯電話の普及、サービスの多様化に伴い、移動体通信システムの保守や最適化のための調整の低コスト化が要請されている。移動体通信システムの保守や最適化のための調整対象としては、例えば基地局の送信電力やアンテナのチルト角等（これらは「無線パラメータ」とも呼ばれる）がある（特許文献１参照）。【０００３】
通信システムの保守調整は、一般に、無線ネットワーク設計シミュレータを用いた評価検討に基づいて行われる。そして、シミュレーション精度を高めるために、無線通信システムのサービスエリアにおいて実測された受信状況情報と、その実測値が測定された位置情報とが設計シミュレータに入力される。例えばＣＤＭＡ（Ｃｏｄｅ  Ｄｉｖｉｓｉｏｎ  Ｍｕｌｔｉｐｌｅ  Ａｃｃｅｓｓ）方式の無線通信システムにおいては、受信状況情報として、共通パイロットチャネルの受信品質や受信強度等が用いられる。【０００４】
従来、受信状況情報の測定は専用の測定車や専門の測定チームにより行われるほか、ユーザの所有する一般の移動無線端末に受信状況情報を測定させ、その測定結果を収集するという方法がある。特許文献１には、移動無線端末が、ユーザ通信の回線状況を監視しており、回線状況が所定の条件を満たしたことをトリガとして検出し、移動無線端末は、トリガが検出されると、無線信号の受信状況、および自身の位置を取得し、受信状況と前記位置を含む実測情報を管理サーバ（情報収集サーバ）に送り、該管理サーバは移動無線端末から受信した実測情報を内部に記録する構成が開示されている。【０００５】
【特許文献１】特開２００４−１６６０５６号公報
【非特許文献１】“ＵＥ  ａｓｓｉｓｔａｎｃｅ  ｆｏｒ  ｓｅｌｆ−ｏｐｔｉｍｉｚｉｎｇ  ｏｆ  ｎｅｔｗｏｒｋ”，  ３ＧＰＰ  ＴＳＧ−ＲＡＮ  ＷＧ２  Ｒ２−０７２４３２  、２５−２９  Ｊｕｎｅ  ２００７
【発明の開示】
【発明が解決しようとする課題】
【０００６】
特許文献１、非特許文献１の開示事項は、本書に引用をもって繰り込み記載されているものとする。以下の分析は、本発明によって与えられたものである。【０００７】
特許文献１の記載に基づき、移動局が、受信状況の監視結果を基地局を介して管理サーバに報告するシステムについて分析する。【０００８】
基地局は、管理サーバの指示に基づいて、移動局に測定制御通知（周期型、イベント型、オン・デマンド型）を送信する。オン・デマンド型の場合、測定制御通知を受信すると移動局は測定を実施する。【０００９】
周期型の場合、移動局は、測定制御通知に応じて、一定周期で測定を実施する。【００１０】
イベント型で報告を行う場合、移動局で監視する回線状況に、例えば無線回線障害（Ｒａｄｉｏ  Ｌｉｎｋ  Ｆａｉｌｕｒｅ）、ハンドオーバ障害（ＨＯ  Ｆａｉｌｕｒｅ）、スループット低下、パイロット品質の低下等、予め定められた所定の条件に該当し、トリガとなるイベントが発生すると、移動局は当該イベントの発生を、基地局に報告する。【００１１】
移動局が報告する監視結果としては、例えば、受信状況、および自身の位置、イベント型の場合、イベントの種別が送信される。受信状況と自身の位置情報としては、サービングセル（現在サービスを提供しているセル、「自セル」ともいう）及び周辺セルのパイロット受信品質、ＧＰＳ（Ｇｌｏｂａｌ  Ｐｏｓｉｔｉｏｎｉｎｇ  Ｓｙｓｔｅｍ）位置情報が用いられる。さらに、一時的な移動局ＩＤ情報（ＴＭＳＩ（ｔｅｍｐｏｒａｒｙ  ｍｏｂｉｌｅ  ｓｕｂｓｃｒｉｂｅｒ  ｉｄｅｎｔｉｆｉｃａｔｉｏｎ）；Ｌ３（ＲＲＣ）での識別子）、時刻情報等を当該報告に含むようにしてもよい。移動局が回線状況の監視結果を基地局に送信する際、無線回線障害又は基地局障害等により、通信不能の場合、回線接続が再確立して通信可能となったときに、移動局側にバッファされていた報告が、基地局に送信されることになる。【００１２】
基地局は、移動局からの報告を受信すると、該報告を、管理サーバに送信する。【００１３】
管理サーバは報告情報を収集し、例えば、電力、アンテナのチルト角等、無線パラメータの再設定を行う。【００１４】
上記分析を行ったシステムに関して本願発明者らは、以下の課題を知見した。【００１５】
すなわち、受信品質が良好であるため、測定結果収集が不要であると判断される地点で測定を行い、移動局が測定結果を基地局を介して管理サーバに送信することは、移動局の電力、無線ネットワーク負荷の増大の観点から、中止させるか抑制することが望まれる。【００１６】
本願発明者らは、測定による端末の電力消費を低減しながら、回線品質が低い地点を重点的に測定可能とするための手法について鋭意研究した。【００１７】
本発明は、上記知見に基づき創案されたものであって、その目的は、回線状況の測定に関連して消費される電力、ネットワーク負荷の増大を抑止可能とする移動端末、システム、方法、プログラム、基地局、管理サーバを提供することにある。
【課題を解決するための手段】
【００１８】
本願で開示される発明は、前記課題を解決するため、概略以下の構成とされる。【００１９】
本発明の１つのアスペクト（側面）によれば、基地局からの無線信号の受信品質に応じて、移動端末による、前記無線信号とは異なる回線状況に関する所定の測定の測定周期及び／又は前記所定の測定のオン・オフを決定し、前記決定に基づいて、前記所定の測定の実行を制御する移動端末が提供される。【００２０】
本発明の別のアスペクトによれば、セルの無線品質を予め定められた閾値と比較し前記閾値よりも高いか低いかに応じて、前記無線信号とは異なる回線状況の測定をコントロールする移動端末が提供される。【００２１】
本発明の別のアスペクトによれば、基地局側からの送信された指示を受けて、移動端末は所定のモードに設定され、前記移動端末は、前記所定のモードにおいて、
基地局からの無線信号の受信品質の測定結果に基づき、前記基地局へ報告する回線状況情報の取得のために前記移動端末によって行われる、前記無線信号とは異なる回線状況に関する所定の測定の測定周期、及び／又は、前記所定の測定のオン・オフ、
を決定し、
前記所定の測定の実行を、前記決定にしたがって制御する、ことを特徴とする無線通信システムが提供される。【００２２】
本発明の別のアスペクトによれば、基地局からの無線信号の受信品質に応じて、移動端末による、前記無線信号とは異なる回線状況に関する所定の測定の測定周期及び／又は前記所定の測定のオン・オフを決定し、前記決定に基づいて前記所定の測定の実行を制御する移動端末に対して、前記無線信号を送信するとともに、前記移動端末から、前記移動端末による、前記無線信号とは異なる回線状況の測定結果を受信する基地局が提供される。【００２３】
本発明の別のアスペクトによれば、基地局からの無線信号の受信品質に応じて測定周期及び／又は測定のオン・オフを決定し、前記決定に基づいて移動端末による、前記無線信号とは異なる回線状況に関する所定の測定の実行を制御する前記移動端末から、前記基地局を介して、送信される回線状況の測定の報告を受信し、前記測定の報告に基づき、無線パラメータの最適化を行う管理サーバが提供される。【００２４】
本発明の別のアスペクトによれば、移動端末が、基地局からの無線信号の受信品質に応じて、前記移動端末による、前記無線信号とは異なる回線状況に関する所定の測定の測定周期及び／又は前記所定の測定のオン・オフを決定し、前記決定に基づいて前記所定の測定の実行を制御する、無線通信方法が提供される。【００２５】
本発明によれば、上記した本発明に係る移動端末の処理を移動端末を構成するコンピュータに実行させるプログラムが提供される。
【発明の効果】
【００２６】
本発明によれば、移動端末側で回線状況の所定の測定の測定周期、該測定のオン・オフ制御を行うことで、基地局と移動局の間のシグナリングを頻繁に行うことを回避し、測定による電力消費を削減するとともに、ネットワーク負荷の増大を抑止することができる。
【図面の簡単な説明】
【００２７】
【図１】本発明の１つの態様を説明する図である。
【図２】本発明の一実施例のシステム構成を示す図である。
【図３】本発明の一実施例の基地局の構成を示す図である。
【図４】本発明の一実施例の移動局の構成を示す図である。
【図５】本発明の一実施例の管理サーバの構成を示す図である。
【図６】本発明における別の制御を説明する流れ図である。
【図７】図６の制御を説明する図である。
【図８】測定時間と測定周期を説明する図である。
【図９】本発明における別の制御を説明する流れ図である。
【図１０】ＳＯＮ測定報告のシグナリングフローを示す図である。
【図１１】無線品質に基づくＳＯＮ測定の活性化・非活性化を説明する図である。
【図１２】無線品質に基づくＳＯＮ測定報告のトリガーを説明する図である。
【図１３】ＳＯＮ測定の禁止を説明する図である。
【図１４】短期間フェイルの場合のＳＯＮ測定を説明する図である。
【図１５】ハンドオーバの場合のＳＯＮ測定を説明する図である。
【図１６】ネットワーク境界でのＳＯＮ測定を説明する図である。
【図１７】キャリア／ＲＡＮ間でのハンドオーバの場合のＳＯＮ測定を説明する図である。
【図１８】ＭＢＳＦＮネットワークエリア移動の場合のＳＯＮ測定を説明する図である。
【図１９】ＭＢＳＦＮネットワークエリア移動の場合の干渉セルを説明する図である。
【符号の説明】
【００２８】
１  ゲートウェイ
２、２’、２”、２−１〜２−ｎ  基地局
３  移動局
４  管理サーバ
５−１〜５−ｎ  セル
６  セル群（サービスエリア）
２０、３０−１、３０−２  アンテナ
２１、３１  無線送受信部
２２、３２  受信データ処理部
２３、３３  送信データ処理部
２４  Ｓ１送受信部
２５  測定指示生成部
２６  報告指示生成部
３４  バッファ部
３５  回線接続制御部
３６  ＧＰＳ受信部  
３７  測定制御部
３７−１  閾値記憶部
３７−２  タイマー
３８  測定データ格納部
３９  測定データ報告制御部
４１  測定指示制御部  
４２  データ格納部
４３  送受信部
４４  パラメータ最適化計算部
４５  パラメータ再設定指示部
【発明を実施するための最良の形態】
【００２９】
上記した本発明についてさらに詳細に説述すべく添付図面を参照して以下に説明する。以下では、まず、本発明の基本原理を説明したのち、実施例を説明する。【００３０】
図１は、本発明の一つの側面の動作原理を模式的に示す図である。図１に示すように、セル１において、基地局２からのパイロット信号（ＣＰＩＣＨ：Ｃｏｍｍｏｎ  Ｐｉｌｏｔ  Ｃｈａｎｎｅｌ）の受信レベル等の品質が所定の閾値Ｑ１を越える場合、移動局（移動端末）３は、受信状況等回線状況の所定の測定を行わず（図１の「測定ＯＦＦ」）、パイロット信号の受信レベルが所定の閾値Ｑ１以下の場合、回線状況の所定の測定を行う（図１の「測定ＯＮ」）。例えばセル中央等においてパイロット信号の受信品質が良好な場合、移動局３は所定の測定をオフ（ＯＦＦ）する。一方、パイロット信号の受信品質が低い場合、移動局３は、所定の測定をオン（ＯＮ）することで、受信品質が低い地点を選択的に測定可能としている。【００３１】
ここで、移動局において、所定の測定をオンするとは、基地局２への測定結果の報告に用いられる、受信状況等、回線状況の所定の測定を実行可、すなわち許可（イネーブル）することに対応する。所定の測定の測定項目としては、例えば、移動局が現在位置するセル及び周辺セルのパイロット受信品質、ＧＰＳ（Ｇｌｏｂａｌ  Ｐｏｓｉｔｉｏｎｉｎｇ  Ｓｙｓｔｅｍ）位置情報等が含まれる。測定がオンのとき、測定結果データは記憶保持され、測定報告（レポート）に用いられる。【００３２】
一方、移動局において、所定の測定をオフするとは、基地局２への測定結果の報告に用いられる所定の測定を不許可（ディスエーブル）とすることに対応する。移動局において、基地局からのパイロット信号の受信レベルの周期的な測定を行うにあたり、測定がオフの場合、この測定結果は測定報告として用いられないため、廃棄してもよい（あるいは、測定結果を一時的に記憶する場合、後に所定の契機で削除してもよい）。また、測定がオフの場合、パイロット信号の受信レベルの周期的な測定に際して、該測定に関連付けて行われるＧＰＳ受信機による位置測定を行わないようにしてもよい。このように、パイロット信号の受信レベルが閾値Ｑ１よりも高い場合、移動局における回線状況の測定をオフに設定することで、無線品質が良好な場所での回線状況の測定結果の報告を、移動局から基地局を介して管理サーバに送信する、ことが抑制される。【００３３】
回線状況として、回線エラー、回線障害等、当該回線又は別回線でのパイロット信号の受信品質（受信レベルの低下等）で判断される回線の状態を含む。【００３４】
本発明によれば、このように、移動局側で回線状況の測定を自律的に制御することで、測定に関連した基地局と移動局の間のシグナリングを抑制している。さらに、移動局３から基地局２を介して測定結果の報告を受け無線パラメータの最適化を行う管理サーバ４に対して、最適化に必要とされる測定情報は送信するが、最適化に有効でないか不要な測定情報の送信は回避する制御が行われる。この結果、電力消費、無線ネットワーク負荷の低減を図ることを可能としている。以下、実施例に即して説明する。
【実施例】
【００３５】
図２は、本発明の一実施例のシステム構成を示す図である。図２を参照すると、本実施例のシステムは、複数の基地局（２−１、２−２、２−３）と、複数の基地局に接続されるゲートウェイ（ＧＷ）１と、ゲートウェイ１に接続される管理サーバ４とを備えている。【００３６】
基地局（２−１、２−２、２−３）は、管理サーバ４からの測定指示を受け、配下の移動局３に対して測定指示を通知する。特に制限されないが、測定指示には、周期型、イベント型、オンデマンド型のほかに、本発明で提案される自律型がある。周期型では、移動局３は、周期的に、監視結果を報告する。オンデマンド型の場合、測定指示を受けた時点での自セル及び周辺セルのパイロット受信品質、ＧＰＳ位置情報、一時的な移動局ＩＤ情報（ＴＭＳＩ）、時刻等を報告する。イベント型の場合、移動局３が基地局に送信する報告情報として、予め定められたイベント（無線回線障害等）の発生時、該発生したイベントの種類、自セル及び周辺セルのパイロット受信品質、ＧＰＳ位置情報、一時的な移動局ＩＤ情報（ＴＭＳＩ）、時刻等が含まれる。【００３７】
自律型の場合、移動局３は、パイロット信号の受信レベルに応じて、回線状況の測定のオン・オフ、回線状況の測定周期の設定が行われる。例えばパイロット信号の受信レベルが所定の閾値以上の場合、回線状況の測定をオフするか、回線状況の測定周期を長く設定する。【００３８】
一方、パイロット信号の受信レベルが閾値を下回る場合、移動局３は、回線状況の測定をオンする。あるいは、移動局３は、回線状況の測定周期を、パイロット信号の受信レベルが所定の閾値以上の場合よりも短くする。【００３９】
以下では、図２に示したシステムにおける基地局、移動局、管理サーバについて、図５乃至図７を参照して説明する。なお、以下で説明する構成は、理解の容易化のために、機能分割してブロックにて図式化したものであり、本発明は、以下の構成に限定されるものでないことは勿論である。【００４０】
図３は、基地局の構成の一例を示す図である。図３を参照すると、アンテナ２０と、無線送受信部２１と、受信データ処理部２２と、送信データ処理部２３と、Ｓ１送受信部２４と、測定指示生成部２５と、報告指示生成部２６を備えている。各要素はそれぞれ概略以下の機能を有する。【００４１】
送信データ処理部２３は、送信データを、エラー訂正符号化、データ変調を行い（ＣＤＭＡの場合、拡散符号で拡散したのち）、アナログ信号に変換する。無線送受信部２１の送信部（不図示）は、送信データ処理部２３からの送信データを変調、周波数変換したＲＦ信号を電力増幅してデュプレクサ（不図示）からアンテナ２０に供給する。アンテナ２０で受信した信号は、デュプレクサ（不図示）を介して無線送受信部２１の受信部（不図示）に送られ、受信ＲＦ信号を増幅・周波数変換し復調して受信データ処理部２２に供給する。【００４２】
受信データ処理部２２は、受信信号（例えばアナログ信号）をデジタル信号に変換し（ＣＤＭＡの場合、受信信号の拡散符号と同一の拡散符号で逆拡散しレイク合成等したのち）、データ復調、エラー訂正復号を行う。また、受信データ処理部２２は、受信データのうち監視結果の報告情報をＳ１送受信部２４からゲートウェイ（図２の１)を介して管理サーバ（図２の４）に送信する。【００４３】
測定指示生成部２５は、移動局に送信する測定指示を生成する。例えば測定指示生成部２５は、管理サーバ４（後に図５を参照して説明される）から発行された測定指示（少なくとも測定対象のセルと測定項目を含む）に基づいて、測定対象となってセルにおいて無線回線を設定した移動局に対して測定指示を生成する。【００４４】
報告指示生成部２６は、測定結果の報告指示を、送信データ処理部２３、無線送受信部２１を介して、移動局に報知する。【００４５】
図４は、移動局の構成の一例を示す図である。図４を参照すると、移動局は、無線送受信部３１と、受信データ処理部３２と、送信データ処理部３３と、バッファ部３４と、回線接続制御部３５と、ＧＰＳ受信部３６と、測定制御部３７と、閾値記憶部３７−１と、タイマー３７−２と、測定データ格納部３８と、測定データ報告制御部３９と、を備えている。各要素はそれぞれ概略以下の機能を有する。バッファ部３４は、送信データ、受信データを蓄積する。なお、図３では、説明の簡単のため、バッファ部３４を１つの構成としているが、バッファ部３４は、送信データバッファ、受信データバッファとして別々の構成としてもよいことは勿論である。【００４６】
バッファ部３４に蓄積された送信データは、送信データ処理部３３でエラー訂正符号化、データ変調し（ＣＤＭＡの場合、拡散符号で拡散したのち）、アナログ信号に変換する処理が行われる。無線送受信部３１の送信部（不図示）は、送信データ処理部３３からの送信データを変調し周波数変換したＲＦ信号を電力増幅してデュプレクサ（不図示）からアンテナ３０−１に供給する。無線送受信部３１の受信部（不図示）は、アンテナ３０−１からの信号をデュプレクサ（不図示）を介して受け、受信ＲＦ信号を増幅・周波数変換し復調して受信データ処理部３２に供給する。【００４７】
受信データ処理部３２は、受信信号をデジタル信号に変換し（ＣＤＭＡの場合、受信信号の拡散符号と同一の拡散符号で逆拡散しレイク（Ｒａｋｅ）合成等したのち）、データ復調、エラー訂正復号を行い、バッファ部３４に格納する。バッファ部３４に一時的に蓄積された受信データは、読み出されてそれぞれの用途に利用される。【００４８】
回線接続制御部３５は、基地局との間で、回線接続の確立、タイムアウト等エラー発生時における再送制御、接続維持、切断等の制御を行う。【００４９】
ＧＰＳ受信部３６は、ＧＰＳ衛星からの信号をアンテナ３０−２で受信し位置情報（経度、緯度、高さ）を算出する。【００５０】
測定制御部３７は、無線送受信部３１で受信した測定指示（この測定指示は基地局から送信される）に基づき、受信状況等の回線状況の測定（監視）を行い、測定結果（監視結果）を、測定データ格納部３８に格納する。例えば、測定結果（監視結果）と、ＧＰＳ受信部３６で取得された移動局の位置情報、移動局ＩＤ情報（ＴＭＳＩ）、時刻情報等を、後の報告のために対応させて記憶しておく。【００５１】
測定制御部３７は、基地局から送信された測定指示が自律型の場合、パイロット信号の受信レベルに応じて測定のオン・オフ制御や、測定周期の設定を行う。測定制御部３７は、無線送受信部３１で受信したパイロット信号の受信レベルを閾値記憶部３７−１の所定の閾値と比較する。なお、移動局において、測定制御部３７は、管理サーバ、基地局からの測定指示に基づき回線状況の測定を行うが、測定はパイロット信号の受信レベル（受信電力）に限定されるものでないことは勿論である。例えば受信電力と干渉信号との比（Ｅｃ／Ｉｏ）を受信電力品質としてもよい。【００５２】
閾値記憶部３７−１には、パイロット信号の受信レベルを比較するための閾値が格納される。また、報告を作成するための測定の周期（測定周期）や、タイマー３７−２のタイムアウト時間が閾値情報として格納される。これらの閾値は、標準の値又はデフォルト値を事前に閾値記憶部３７−２に保持する構成としてもよいし、あるいは、例えば移動局が位置登録等を行った基地局側から移動局に送信される制御情報にこの閾値情報を含ませる構成としてもよい。この場合、無線送受信部３１、受信データ処理部３２で受信した基地局からの制御情報（閾値情報）は、測定制御部３７を介して閾値記憶部３７−１に格納される。【００５３】
タイマー３７−２は、測定制御部３７で実行する、回線状況の測定の周期の管理や、測定データ報告制御部３９による測定データ報告のタイミング管理等、各種タイミング制御のために用いられる。なお、タイマー３７−２は、タイムアウト値が設定され、スタート信号（コマンド）により、定期的に供給されるクロック信号に応答してカウントダウンして行きカウント値が０に達した時点で、タイムアウト発生を通知するダウンカウンタで構成してもよいし、０からカウントアップして行き、カウント値がタイムアウト値に達した時点でタイムアウト発生を通知するアップカウンタとして構成してもよいし、あるいは、タイマー３７−２は、タイムアウト時間の長さによっては、カウンタのカウント動作をソフトウエアで行うソフトウエア・タイマーで構成してもよい。タイマー３７−２は、測定制御部３７からの停止信号（コマンド）、あるいは、リセット信号（コマンド）により、カウント動作の停止、あるいは、カウント値がリセットされる。【００５４】
測定制御部３７は、無線送受信部３１、受信データ処理部３２で受信されたパイロット信号の受信レベル（受信電力）を閾値記憶部３７−１の閾値と比較し、閾値以上の場合、測定をオフするか、測定周期を長く設定する。【００５５】
また、測定制御部３７は、パイロット信号の受信レベルが閾値を下回る場合、測定をオンする制御を行う。あるいは、パイロット信号の受信レベルが閾値を下回る場合、測定周期を、パイロット信号の受信レベルが所定の閾値以上の場合よりも短くする。【００５６】
測定データ報告制御部３９は、回線接続制御部３５の回線接続状態等に基づき、測定結果の報告の送信、禁止の制御を行う。回線接続制御部３５で無線回線障害検出時には、測定データ報告制御部３９は、測定データ格納部３８に格納された測定結果の報告の送信は行わず、無線回線再確立時あるいは再確立時以降の所定のタイミングで報告を送信するようにしてもよい。その際、測定報告の集中を分散させるため、所定の確率（例えば１０％）で測定報告を行う等、基地局への測定報告の送信を、確率的に行うようにしてもよい。【００５７】
送信データ処理部３３は、測定データ報告制御部３９からの指示（監視結果を報告するか禁止するかの指示）を受け、監視結果の報告を行う場合に、測定データ格納部３８に格納されている測定結果、ＧＰＳ位置情報、一時的な移動局ＩＤ情報（ＴＭＳＩ）、時刻等を読み出し、一時的な移動局ＩＤ情報（ＴＭＳＩ）等を合わせた情報を報告として、無線送受信部３１から送信する。なお、移動局における、測定制御部３７、測定データ報告制御部３９の処理の少なくとも一部は、移動局を構成するコンピュータで動作するプログラムによって実現するようにしてもよいことは勿論である。【００５８】
図５は、図２の管理サーバ４の構成の一例を示す図である。図５を参照すると、管理サーバ４は、測定指示制御部４１と、データ格納部４２と、送受信部４３と、パラメータ最適化計算部４４と、パラメータ再設定指示部４５と、を備えている。各要素はそれぞれ概略以下の機能を有する。【００５９】
測定指示制御部４１は、基地局を介して移動局に測定指示を発行する。測定指示には、測定を周期型、イベント型、オンデマンド型、自律型のいずれで行うか、及び、測定すべき項目を含む。なお、測定指示で指定される測定の型は、これらに限定されるものでないことは勿論であり、例えば、周期型と自律型を組み合わせた混載型、あるいはイベント型と自律型を組み合わせた混載型等であってもよいことは勿論である。このうち、周期型＋自律型の混載型の場合、移動局は基地局からの測定指示に基づき周期型で回線状況の測定を周期的に行うが、受信品質が所定の閾値よりも大の場合、測定をオフさせるか、あるいは測定周期を長くし、受信品質が所定の閾値以下の場合に、測定をオンとし、測定を周期的に行う。あるいは、イベント型と自律型の混載型の場合、パイロット信号の受信レベルが閾値以下となる事象をイベントとして登録しておき、該イベント発生後、受信品質が所定の閾値以下の場合、測定をオンし、閾値よりも大の場合、測定をオフさせる等の制御を行うようにしてもよい。【００６０】
測定指示制御部４１からの測定指示は、送受信部４３からゲートウェイ（ＧＷ装置）（図２の１）に転送され、ゲートウェイから基地局に転送され、基地局から無線でセル内の移動局に通知される。【００６１】
送受信部４３は、移動局からの報告情報を基地局、ゲートウェイ（ＧＷ装置）（図２の１）を介して受信し、受信した報告情報をデータ格納部４２に格納する。【００６２】
パラメータ最適化計算部４４は、データ格納部４２から報告情報を読み出し、報告情報に基づき、対応する基地局の電力やアンテナのチルト角等の無線パラメータについて、最適化のための計算を行う。パラメータ最適化計算部４４で新たに計算された無線パラメータが、既に設定済みの無線パラメータと異なる場合、パラメータ再設定指示部４５は、パラメータ再設定指示をゲートウェイ（図２の１）を介して基地局に送信する。基地局では、受け取ったパラメータ再設定指示に基づき電力やアンテナのチルト角等を設定する。【００６３】
次に本発明の第２の実施例について説明する。図６は、本発明の第２の実施例の測定の制御を説明する流れ図である。図７は、本発明の第２の実施例の測定の制御を説明する模式図である。以下では、図６、図７、図４を参照して、本発明の第２の実施例を説明する。【００６４】
移動局の測定制御部３７は、第１の測定周期（例えば１秒周期）で、移動局が、現在サービスを提供しているサービングセル（「自セル」ともいう）の基地局からのパイロット受信レベル（Ｓ＿ｓｅｒｖｉｎｇ）を測定する（図６のステップＳ１）。この場合、特に制限されないが、移動局において、図４のタイマー３７−２内に、自セル測定周期管理用のタイマー（不図示）を用意しておき、そのタイムアウト値を第１の測定周期（例えば１秒）に設定し、タイムアウト発生をトリガーとして、自セルのパイロット受信レベルの測定を開始するとともに、該タイマーの計時動作を自動リスタートさせる構成としてもよい。【００６５】
移動局の測定制御部３７は、Ｓ＿ｓｅｒｖｉｎｇと、閾値記憶部３７−１の閾値Ｓ＿ｔｈ＿ｈｉｇｈとを比較し、
Ｓ＿ｓｅｒｖｉｎｇ≧Ｓ＿ｔｈ＿ｈｉｇｈのとき（図６のステップＳ２のＹＥＳ）、図７に示すように、他セルの測定は行わず、自セルのパイロット受信レベルを第１の測定周期で測定する（図６のステップＳ１）。この場合、閾値Ｓ＿ｔｈ＿ｈｉｇｈを、例えば図１の閾値Ｑ１に対応させると、移動局は、パイロット信号の受信レベルを第１の測定周期で監視するが、測定報告のデータとして用いられないため、測定結果は廃棄してもよい。【００６６】
Ｓ＿ｔｈ＿ｈｉｇｈよりも小さな閾値Ｓ＿ｔｈ＿ｌｏｗに関して、
Ｓ＿ｔｈ＿ｈｉｇｈ＜Ｓ＿ｓｅｒｖｉｎｇ＜Ｓ＿ｔｈ＿ｈｉｇｈのとき（ステップＳ３のＹＥＳ）、移動局の測定制御部３７は、図７に示すように、他セル（周辺セル）のパイロット受信レベル（Ｓ＿ｎｅｉｇｈｂｏｒｉｎｇ）を第２の測定周期（例えば５秒周期）で測定する（図６のステップＳ４）。また、移動局の測定制御部３７は、自セルのパイロット受信レベルを第１の測定周期で測定する。閾値Ｓ＿ｔｈ＿ｈｉｇｈを、例えば図１の閾値Ｑ１に対応させると、測定がオンに設定され、第２の測定周期で測定される他セルのパイロット信号受信レベル及び／又は第１の測定周期で測定される自セルのパイロット信号受信レベルが測定報告の対象として測定データ格納部３８に格納される。なお、この場合、特に制限されないが、移動局において、図４のタイマー３７−２内に他セル測定周期管理用のタイマー（不図示）を用意しておき、そのタイムアウト値を第２の測定周期（例えば５秒）に設定し、タイムアウト発生をトリガーとして、他セルのパイロット受信レベルの測定を開始するとともに、該タイマーの計時動作をリスタートさせる構成としてもよい。【００６７】
Ｓ＿ｓｅｒｖｉｎｇ≦Ｓ＿ｔｈ＿ｌｏｗのとき、移動局の測定制御部３７は、図７に示すように、他セル（周辺セル）のパイロット受信レベルＳ＿ｎｅｉｇｈｂｏｒｉｎｇを第３の測定周期（例えば１秒周期）で測定する（図６のステップＳ５）。この場合、自セルのパイロット受信レベルを第１の測定周期で測定する（図６のステップＳ１）。このとき、測定はオンとされ、第３の測定周期で測定される他セルのパイロット信号受信レベル及び／又は第１の測定周期で測定される自セルのパイロット信号受信レベルが測定報告の対象として測定データ格納部３８に格納される。この場合、特に制限されないが、移動局において、図４のタイマー３７−２内に、他セル測定周期管理用のタイマー（不図示）を用意しておき、そのタイムアウト値を第３の測定周期（例えば１秒）に設定し、タイムアウト発生をトリガーとして他セルのパイロット受信レベルの測定を開始するとともに、該タイマーの計時動作をリスタートさせる構成としてもよい。【００６８】
なお、各測定は、図８に示すように、一定の測定時間（例えば０．１秒）の間に行い、それ以外の時間は、測定を行わない。移動局の測定制御部３７は、測定において、基地局が各セルにおいて送信する共通パイロット信号の受信電力を測定する。図８の測定時間中には、一定のサンプル周期で測定を行い、全サンプルの平均値を求める。【００６９】
本実施例によれば、自セルのパイロット受信レベルが高い場合（図６のステップＳ２のＹＥＳ）、他セルの測定を全く行わないことから、測定による電力消費を削減できる。【００７０】
また、本実施例によれば、パイロット受信レベルが比較的高い場合（図６のステップＳ３のＹＥＳ）、他セルのパイロット受信レベルの測定周期を長く設定することで（図６のステップＳ４）、測定による電力消費を、ある程度まで削減することができる。そして、パイロット受信レベルが低くなった場合に（図６のステップＳ３のＮＯ）、他セルのパイロット受信レベルの測定周期を短く設定する。【００７１】
次に本発明の第３の実施例について説明する。図９は、本発明の第３の実施例の測定の制御を説明する流れ図である。以下では、図９と移動局の構成を示した図４を参照して、回線状況の測定結果と測定報告の制御について説明する。【００７２】
移動局の測定制御部３７は、パイロット信号の受信レベルを測定し（ステップＳ１１）、パイロット信号の受信レベルが閾値記憶部３７−１の所定の閾値Ｑ１以上の場合（ステップＳ１２のＹＥＳ）、タイマー３７−２内の測定報告管理用のタイマー（不図示）をスタートさせ（ステップＳ１３）、測定を、図８の測定周期にしたがって行う（測定周期は、測定報告管理用のタイマーのタイムアウト時間よりも短い）。【００７３】
測定報告管理用のタイマー（不図示）のタイムアウト発生時（ステップＳ１４のＹＥＳ）、測定データ報告制御部３９は、タイマー３７−２からタイムアウト発生の通知を受け、報告データ格納部３８の測定データに基づき、報告が記録される。なお、該報告は、送信データ処理部３３、無線送受信部３１、アンテナ３０−１を介して基地局に送信される。報告は、前述したとおり、自セル及び周辺セルのパイロット受信品質、ＧＰＳ（Ｇｌｏｂａｌ  Ｐｏｓｉｔｉｏｎｉｎｇ  Ｓｙｓｔｅｍ）位置情報、ＴＭＳＩ、時刻情報等を含む。なお、測定データ報告制御部３９は、回線接続制御部３５から無線回線障害等の通知を受けた場合、報告の送信は行わず、報告データ格納部３８に記録し、以降、無線回線再確立時等に基地局に送信する。【００７４】
図９のステップＳ１３でタイマーをスタートさせた状態でタイムアウト発生前に、パイロット信号の受信レベルを測定した結果（ステップＳ１５）、受信レベルが閾値Ｑ１よりも高くなった場合（ステップＳ１６のＹＥＳ）、タイマーを停止させる（ステップＳ１７）。【００７５】
タイマーを停止させた状態で、パイロット信号の受信レベルを測定した結果（ステップＳ１８）、受信レベルが閾値Ｑ１よりも低くなった場合（ステップＳ１９のＹＥＳ）、タイマーをレジューム（再スタート）させる（ステップＳ２０）。受信レベルが閾値Ｑ１以上の場合、タイマーは停止状態のまま、パイロット信号の受信レベルの測定が周期的に行われる（ステップＳ１９のＮＯ）。このタイマー制御においては、測定報告管理用のタイマーのタイムアウト時間を、測定周期で除した値に対応する回数測定が行われ、報告が記録されることになる。【００７６】
次に、本発明を、ＳＯＮ（ｓｅｌｆ  ｏｒｇａｎｉｚｉｎｇ／ｏｐｔｉｍｉｚｉｎｇ  ｎｅｔｗｏｒｋｓ）サーバを備えたＳＯＮに適用した例について説明する。以下の例では、上記実施例における監視結果の報告を「ＳＯＮ測定レポート（ＳＯＮ  ｍｅａｓｕｒｅｍｅｎｔ  ｒｅｐｏｒｔ）」という（非特許文献１参照）。【００７７】
図１０に示すように、移動局（ＵＥ）は、基地局（ｅＮＢ１）と無線で回線接続し、無線回線接続障害が発生し、ＳＯＮ測定レポートのトリガとなる（ＳＯＮ  Ｍｅａｓｕｒｅｍｅｎｔ（ＭＳＲ）  ｔｒｉｇｇｅｒ）。フェーズ１（Ｐｈａｓｅ１）は移動局がセルが見えなくなった状態、フェーズ２（Ｐｈａｓｅ１）はフェーズ１（Ｐｈａｓｅ１）終了後、移動局が現在のセルでなく他のセルを探索する時間に対応する。基地局（ｅＮＢ２）と回線接続が再確立すると（ｃｏｎｅｎｃｔｉｏｎ  ｒｅ−ｅｓｔａｂｌｉｓｈｍｅｎｔ）、ＳＯＮ測定レポートを基地局（ｅＮＢ２）へ送信し、ＳＯＮ測定レポートは基地局（ｅＮＢ２）から管理サーバ（ＳＯＮ  ｓｅｒｖｅｒ）に送信される。管理サーバ（ＳＯＮ  ｓｅｒｖｅｒ）では、基地局（ｅＮＢ１）の無線パラメータ等の再構成（ｅＮＢ１  ｐａｒａｍｅｔｅｒ  ｒｅｃｏｎｆｉｇｕｒａｔｉｏｎ）を行う。【００７８】
ＵＥによるＳＯＮ測定レポートにおいてＵＥの電源（バッテリ）消費が問題となる。ＳＯＮ測定は、移動性、パケットスケジューリングに関連した測定等、他の通常測定からも得ることができる。ＳＯＮ運用に特定のＳＯＮ測定はＵＥの処理を要し、電力消費を招く。ＳＯＮ測定結果の報告とネットワーク（基地局）への送信も、ネットワーク、ＵＥ側のリソースが使われる。ＳＯＮレポートが無線アクセスで行われる場合、ＵＥは上り回線でＳＯＮレポートを送信し、ネットワークはＳＯＮ測定のアップリンク伝送用の無線資源を提供しなければならない。ＳＯＮ関連のアップリンク伝送が少ない場合、上り回線容量に対してＳＯＮ関連測定全体が与える影響は許容範囲にあるが、ネットワークの万オーダのセルの最適化を行う場合、ネットワークの各セルあたり統計的に十分な量の測定サンプルを集計しようとする場合、必要とされるＳＯＮ測定は相当な量となる。注目すべき点は、セルを確実に常時最適化状態に保つために、以前に最適化されたセルについてＳＯＮ測定を行う必要があるということである。ネットワークのライフサイクルを通じて、ＳＯＮ測定が要求されることから、全体のＳＯＮ測定による、無線回線容量へのインパクトは重大なものとなり得る。【００７９】
管理サーバ（ＳＯＮサーバ）側においても、レポートの扱いに関して、ＳＯＮ測定に関連するオーバヘッドの問題がある。管理サーバは、典型的には、ＳＯＮ測定結果から最適化されたセルパラメータを導出するように完全自動化されたシステムとして構成されるか、あるいは、オペレータが集計したＳＯＮ測定結果を用いてセルパラメータを手動でチユーニングする、手動型システムとして構成される。【００８０】
パラメータ最適化の観点から、ＳＯＮ測定結果の報告が有用でない場合、手動操作又は自動化されたフィルタリングにより、これらのＳＯＮ測定結果は廃棄されるべきである。一旦、測定したあとで測定結果を廃棄することを回避するために、ＳＯＮ測定報告をネットワークによって設定可能とすることが必須となる。【００８１】
上記課題を解決するため、無線品質に基づく報告基準を新たに導入し、ＵＥによるＳＯＮ測定を制限する発明を提案する。【００８２】
以下では、基準（Ｃｒｉｔｅｒｉａ）として、
・サービングセルの無線品質（ａ  ｓｅｒｖｉｎｇ  ｃｅｌｌ  ｒａｄｉｏ  ｑｕａｌｉｔｙ）；
・サービングキャリア無線品質（ａ  ｓｅｒｖｉｎｇ  ｃａｒｒｉｅｒ  ｒａｄｉｏ  ｑｕａｌｉｔｙ）；
・サービングＲＡＴ（ｒａｄｉｏ  ａｃｃｅｓｓ  ｔｅｃｈｎｏｌｏｇｙ）無線品質（ａ  ｓｅｒｖｉｎｇ  ＲＡＴ  ｒａｄｉｏ  ｑｕａｌｉｔｙ）；
・サービングＭＢＳＦＮ（ａ  ｓｅｒｖｉｎｇ  Ｍｕｌｔｉｐｌｅ  Ｓｉｎｇｌｅ  Ｆｒｅｑｕｅｎｃｙ  Ｎｅｔｗｏｒｋ）無線品質（ａ  ｓｅｒｖｉｎｇ  ｃａｒｒｉｅｒ  ｒａｄｉｏ  ｑｕａｌｉｔｙ）；
について説明する。【００８３】
＜サービングセルの無線品質（ａ  ｓｅｒｖｉｎｇ  ｃｅｌｌ  ｒａｄｉｏ  ｑｕａｌｉｔｙ）＞
現在サービスを提供しているサービングセルの無線品質が予め定められた閾値Ｑ１（図参照）よりも高いか、低いかに応じて、ＵＥのＳＯＮ測定を制御する。図１１（Ａ）、（Ｂ）は、無線品質に基づくＳＯＮ測定のオン・オフを説明する図であり、前述した図１に対応する。図１１に示すように、ＵＥは、サービングセルの無線品質が閾値Ｑ１より低い場合に、ＳＯＮ測定（ＳＯＮ  Ｍｅａｓｕｒｅｍｅｎｔ）を行う。この基準は、良好な無線チャネル条件のＵＥをして、セル品質の報告を回避させる。【００８４】
ＳＯＮ測定の目的の１つは、無線品質が低い領域を見つけ、該領域周辺のセルパラメータを制御して無線品質を上げることである。この観点からも、良好な無線品質の地点で、ＵＥがＳＯＮ測定を行うことは無駄であり、良好な無線品質の測定は割りにあわないといえる。【００８５】
ＳＯＮ測定をディスエーブルとするには、ネットワークは閾値Ｑ１を例えば負の無限大に相当する値に設定しておき、サービングセルの無線品質が常にＱ１より大となるようにすればよい。【００８６】
ネットワークが、閾値Ｑ１として、ｅＮＢとＵＥの好適な通信を提供可能とする最小限の品質に対応する値に設定した場合、ＵＥはサービングセルから離れるときに、ＳＯＮ測定を報告することになる。ＳＯＮ測定と報告の詳細例を以下に説明する。【００８７】
図１２は、無線品質に基づくＳＯＮ測定のトリガーを説明する図である。横軸は時間、縦軸はサービングセルの無線品質（ｓｅｒｖｉｎｇ  ｃｅｌｌ  ｑｕａｌｉｔｙ）である。なお、図１２は、図９を参照して説明した実施例を、ＳＯＮ測定レポートに適用した一例を説明する図である。【００８８】
図１２を参照すると、時間（タイミング）ｔ１で、サービングセル品質が予め定められた閾値Ｑ１を下回ると、タイマーＣＮＴ１（ＣＮＴ１は、図４のタイマー３７−２の中の１つのタイマーに対応する）のカウント動作が開始される。ＵＥは、他セル（周辺セル）の品質を所定周期（例えば１００ｍｓｅｃ毎あるいは１０００ｍｓｅｃ毎）で定期的にチェックする。【００８９】
タイミングｔ２で、サービングセル品質が上昇して閾値Ｑ１を上回ると、ＵＥは、タイマーＣＮＴ１のカウント動作を停止させる。他セル（周辺セル）の品質のチェックも停止する。【００９０】
タイミングｔ３で、サービングセル品質が低下しタイマーＣＮＴ１の計時を再開する。他セル（周辺セル）の品質のチェックも再開される。【００９１】
タイミングｔ４で、タイマーＣＮＴ１が予め定められた閾値Ｔ１に達し（タイムアウト発生）、ＳＯＮ測定報告（ＳＯＮ  Ｍｅａｓｕｒｅｍｅｎｔ  Ｒｅｐｏｒｔ）が記録される。【００９２】
この提案によれば、サービングセルの品質と、予め定められた閾値Ｑ１との比較に基づき、タイマーの開始（スタート）、再開（レジューム）、停止の動作が行われる。【００９３】
タイマーのカウント動作により、サービングセルの品質に絶え間なく（持続的に）問題がある場合にのみ、ＳＯＮ測定が起動され、持続性は、タイマーのタイムアウト時間Ｔ１で制御される。【００９４】
サービングセルの品質劣化が短期間である場合には、ＳＯＮ測定を回避するように、タイマーＣＮＴ１のタイムアウト時間Ｔ１は例えば数分のオーダに設定される。例えば、ユーザがエレベータに入り、１分後に戻ってきたような場合である。この場合、タイマーは、タイムアウトせず、ＳＯＮ測定は行われない。タイマーＣＮＴ１の計時中、ＵＥはＳＯＮ測定報告のための隣接セルのＳＯＮ測定を行う。【００９５】
本発明の別の実施例として、測定報告（ｒｅｐｏｒｔｉｎｇ）がトリガーされた場合、ＵＥがＳＯＮ測定報告を繰り返し行うことを回避する機構を備えている。図１３は、ＳＯＮ測定の禁止機構を説明する図である。【００９６】
タイミングｔ１で、サービングセルの品質が予め定められた閾値Ｑ１を下回り、タイマーＣＮＴ１がスタートする。タイミングｔ１から、ＵＥは周期的に隣接セルの品質をチェックする。【００９７】
タイミングｔ２で、タイマーＣＮＴ１は予め定められたタイムアウト時間（閾値）Ｔ１に達し、ＳＯＮ測定報告が記録される。このとき、禁止タイマーＣＮＴ２がスタートし、タイマーＣＮＴ２が計時中、ＵＥはＳＯＮ関連の処理を行わない。【００９８】
例えば禁止タイマーＣＮＴ２のタイムアウト時間を１日とすると、タイマーＣＮＴ１のタイムアウト後、１日の間、ＵＥはＳＯＮ関連の処理を行わず、このため、ＵＥは１日に最大１回ＳＯＮ測定を行うことになる。【００９９】
なお、図１２において、ｔ２−ｔ３の持続期間があるレベルを超えたら、ＵＥがサービングセルの一時的な品質劣化を集計することを回避させるために、タイマーＣＮＴ１を再スタートさせる必要がある。【０１００】
タイマーＣＮＴ１が停止中に、ＵＥがサービングセルに再接続された場合、タイマーＣＮＴ１はリセットされる。【０１０１】
図１４は、短期間のフェイル時のＳＯＮ測定を示す。タイミングｔ１でサービングセルの品質が予め定められた閾値Ｑ１を下回り、タイマーＣＮＴ１がスタートし、タイミング２でサービングセルの品質が閾値Ｑ１以上となりタイマーＣＮＴ１を停止させ、リセット用のタイマーＣＮＴｒｓｔをスタートさせる。この状態で、タイマーＣＮＴｒｓｔがタイムアウトすると、タイマーＣＮＴ１はリセットされる。【０１０２】
次に、ハンドオーバ処理とＳＯＮ測定について説明する。ＵＥにおいて呼セッションがアクティブの期間中に、サービングセルの品質が劣化した場合、ＵＥはハンドオーバのために他のセルを探す。ハンドオーバ測定プロシージャ（手順）により、ＵＥは、現在のセルがハンドオーバを準備できるように、ハンドオーバ先のセル（ターゲットセル）が存在することを報告する。【０１０３】
通常のハンドオーバにおいて、サービングセルの品質（サービングセルのパイロット信号の受信品質）が閾値Ｑ１より劣化しても、ＵＥはＳＯＮ測定を開始すべきではない。これは、閾値Ｑ１とタイマーＣＮＴ１のタイムアウト時間Ｔ１を、適宜設定することにより、ハンドオーバの中段（ｈａｎｎｄｏｖｅｒ  ｉｎｔｅｒｒｕｐｔｉｏｎ）がＳＯＮ測定の原因となることがないようにすることで可能とされる。例えば閾値Ｑ１をハンドオーバ・トリガー品質レベルよりも低く設定するか、又は、タイマーＣＮＴ１のタイムアウト時間を、ハンドオーバに要する時間（例えばハンドオーバ要求からハンドオーバ完了まで）よりも十分長く設定する。あるいは、ＵＥにおいて、アクティブモードでのハンドオーバ手続き期間中（例えばハンドオーバ要求からハンドオーバ完了まで）、閾値Ｑ１に関連した手続き（処理）はキャンセルされる。【０１０４】
図１５は、ハンドオーバ時のセル品質とタイマーの関係を説明する図である。図１５に示す例では、移動局において、ハンドオーバの要求後、ハンドオーバ元のセル（（Ｓｏｕｒｃｅ  Ｃｅｌｌ）の品質（Ｓｏｕｒｃｅ  Ｃｅｌｌ  Ｑｕａｌｉｔｙ）は低下し、ハンドオーバ先のセル（Ｔａｒｇｅｔ  Ｃｅｌｌ）の品質（Ｔａｒｇｅｔ  Ｃｅｌｌ  Ｑｕａｌｉｔｙ）は高くなる。ハンドオーバ元のセル（Ｓｏｕｒｃｅ  Ｃｅｌｌ）の品質が閾値Ｑ１を下回ると、タイマーＣＮＴ１がスタートし、測定を周期的に行うことになる。しかしながら、ハンドオーバ元のセルの品質を測定することは有効でない測定を行うことになる。そこで、図１５に示す例では、ハンドオーバの完了（Ｈａｎｄｏｖｅｒ  ｃｏｍｐｌｅｔｅ）時、タイマーＣＮＴ１の計時を終了させている。【０１０５】
＜アイドルモードでのセルの再選択＞
ＵＥがアイドルモードでセル間を移動する場合、移動はＵＥの判断に基づき行われる。すなわち、無線品質ベースでの最適セルの再選択が行われる。閾値Ｑ１は滞在セル（ｃａｍｐｅｄ  ｃｅｌｌ）に対して定義され、活性化（ａｃｔｉｖａｔｉｏｎ）・非活性化（ｄｅａｃｔｉｖａｔｉｏｎ）は、アクティブモードのＵＥと同様に行われる。セル再選択期間に、不要なＳＯＮ測定は、閾値Ｑ１又はタイマーＣＮＴ１のタイムアウト値を適宜設定することで回避される。【０１０６】
閾値Ｑ１とタイマーＣＮＴ１のタイムアウト値の設定は、ＵＥのモードに依存しており、ネットワークは、ＵＥにおいてアイドルモードがアクティブモードよりも電力を多く使わないように設定することができる。これは、アイドルモードのＵＥは、より長いスタンバイ時間の間ＳＯＮ関連処理をより少なく行うためである。あるいは、アイドルモードでのハンドオーバ手続き期間中、閾値Ｑ１に関連した手続き（処理）はキャンセルされる。【０１０７】
＜ネットワーク境界のＵＥの位置付け＞
国境等ネットワークの境界にＵＥが滞在する場合、ＵＥはネットワーク境界でＳＯＮ測定を報告することは可能である。ネットワーク境界のセルにおいて、受信品質の閾値Ｑ１を負の無限大（ＮＥＧＡＴＩＶＥ  ＩＮＦＩＮＩＴＹ）に設定するなどして、移動局がＳＯＮ測定をオフに切り替えることで、ネットワーク境界での、ＵＥによるＳＯＮ測定報告を回避することができる。図１６に示した例では、ネットワークＡとネットワークＢの境界のセルにおいて、受信品質の閾値Ｑは負の無限大（ＮＥＧＡＴＩＶＥ  ＩＮＦＩＮＩＴＹ）に設定され、このため、境界のセルにおいて、ＳＯＮ測定は行われない。なお、セル形状は正六角形に限定されるものでないことは勿論である。ネットワークＡとネットワークＢにおいて境界のセル以外のセルでは、閾値Ｑは負の無限大とは異なる値（例えばＸ、Ｙ、ＺｄＢｍ）にそれぞれ設定され、当該セルに滞在する移動局において、受信品質が当該閾値Ｑよりも下回る場合、ＳＯＮ測定がオンとされる。【０１０８】
＜サービング・キャリア／ＲＡＴ無線品質＞
複数のキャリア／ＲＡＴ（Ｒａｄｉｏ  Ａｃｃｅｓｓ  Ｔｅｃｈｎｏｌｏｇｙ：無線通信方式）では、ＵＥはキャリア／ＲＡＴの１つに接続され、１又は複数のキャリア／ＲＡＴで提供されるつぎはぎ状態のカバレッジのネットワークに接続可能である。キャリア／ＲＡＴが閾値Ｑ１、タイマーのタイムアウト値Ｔ１等、必要な制御パラメータを示す。品質レベルＱ１の必要条件は、キャリア／ＲＡＴに固有であるため、キャリア／ＲＡＴ単位でＱ１、Ｔ１のパラメータが設定される。【０１０９】
図１７は、１つのキャリア／ＲＡＴから他のキャリア／ＲＡＴへのキャリア／ＲＡＴ間ハンドオーバとＳＯＮ測定を説明する図である。１つのキャリア／ＲＡＴ（Ｓｏｕｒｃｅ  ｃａｒｒｉｅｒ／ＲＡＴ）の品質が低下し、他のキャリア／ＲＡＴ（Ｔａｒｇｅｔ  ｃａｒｒｉｅｒ／ＲＡＴ）に接続を切り替える場合、閾値Ｑ１を下回ると、タイマーＣＮＴ１がスタートし、測定が所定周期で行われるが、他のキャリア／ＲＡＴ（Ｔａｒｇｅｔ  ｃａｒｒｉｅｒ／ＲＡＴ）へのハンドオーバが完了（Ｈａｎｄｏｖｅｒ  ｃｏｍｐｌｅｔｅ）すると、タイマーＣＮＴ１の計時動作を終了させる。【０１１０】
タイマーＣＮＴ１の計時動作を終了させることで、受信品質がＱ１以下となったハンドオーバ元のキャリア／ＲＡＴ（Ｓｏｕｒｃｅ  ｃａｒｒｉｅｒ／ＲＡＴ）のＳＯＮ測定を、タイマーがタイムアウトするまで行うことを回避している。あるいは、キャリア／ＲＡＴ間ハンドオーバ手続き期間中、閾値Ｑ１に関連した手続き（処理）はキャンセルされる。【０１１１】
＜サービングＭＢＳＦＮ無線品質＞
サービスを提供しているＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）エリアは、ＵＥが複数のセルから同一のコンテンツ（テレビ番組）を受信できるように同一コンテンツが送信される複数セルの組である。【０１１２】
ＳＯＮ測定は、ＭＢＳＦＮのネットワークにおけるカバレッジを得るために、ＭＢＳＦＮ送信において役にたつ。【０１１３】
このタイプのＭＢＳＦＮ通信において、品質基準である閾値Ｑ１、ＣＮＴ１のタイムアウトＴ１は、個々のセルに対してではなく、同一コンテンツを送信する複数セルの組に対して定義される。【０１１４】
ＵＥが位置しユニキャストサービスのために接続しているセルの受信品質ではなく、ＭＢＳＦＮに関係する全セルのトータルな受信品質が使われる。【０１１５】
ＭＢＳＦＮ受信品質を定義する場合、ＭＣＣＨ（ＭＢＭＳ（ｍｕｌｔｉｍｅｄｉａ  ｂｒｏａｄｃａｓｔ  ａｎｄ  ｍｕｌｔｉｃａｓｔ）Ｃｏｎｔｒｏｌ  ＣＨａｎｎｅｌ）の受信パイロット品質、ＭＴＣＨ（ＭＢＭＳ  Ｔｒａｎｓｆｅｒ  ＣＨａｎｎｅｌ）の受信パイロット品質等、少なくとも２つの候補がある。【０１１６】
ＭＣＣＨとＭＴＣＨはともに、ＭＢＳＦＮ送信のコントロールとデータをそれぞれ運ぶ。ＵＥはＭＢＳＦＮ送信を受信する場合、ＭＣＣＨとＭＴＣＨを受信する（おそらくＭＣＣＨが先でＭＴＣＨがあと）。ＭＣＣＨは１以上のＭＴＣＨに対するコントロール情報を含む。ＭＢＳＦＮエリアはＭＴＣＨのエリアよりも狭いか、又は広い。【０１１７】
ＭＢＳＦＮ受信品質は、オペレータが、ＳＯＮ測定結果を用いて最適化するチャネルに依存してＭＣＣＨ又はＭＴＣＨのいずれかに対して定義される。多くの場合、ＭＣＣＨとＭＣＣＨは同一のＭＢＳＦＮエリアを有する。以下では、ＭＣＣＨとＭＴＣＨの受信品質を差別しない。【０１１８】
同一コンテンツをＵＥに送信する５つのセルによるＭＢＳＦＮ伝送を図１８を用いて説明する。図１８（Ａ）に示すように、５つのセルによるＭＢＳＦＮネットワークエリアをＵＥは移動する。ＵＥは、ＭＢＳＦＮエリアの中央でＭＢＳＦＮ受信を開始しＭＢＳＦＮエリアから離れる。ＭＢＳＦＮ受信品質の時間変動は、ＭＢＳＦＮ  ＳＯＮ測定手順として示される。【０１１９】
図１８（Ｂ）を参照すると、タイミングｔ１で、ＭＢＳＦＮ受信品質が予め定められた閾値Ｑ１よりも低くなると、タイマーＣＮＴ１がスタートし、ＵＥは定期的にＭＢＳＦＮ品質をチェックする。【０１２０】
タイミングｔ２でタイマーＣＮＴ１が予め定められたタイムアウト時間（閾値）Ｔ１に達すると、ＳＯＮ測定報告が記録される。その後、禁止タイマーＣＮＴ２がスタートし、タイミングｔ２から、ＵＥは、ＳＯＮ測定のために、ＭＢＳＦＮの品質を測定する必要がなくなる。【０１２１】
タイミングｔ３でタイマーＣＮＴ２が予め定められたタイムアウト時間（閾値）Ｔ２に達すると、ＵＥのＳＯＮ測定の禁止は解除される。ＵＥはＭＢＳＦＮ品質を測定し、該品質が閾値Ｑ１より低いことを検出し、タイマーＣＮＴ１をスタートさせる。【０１２２】
タイミングｔ４では、タイミングｔ２と同様に、タイマーＣＮＴ１が予め定められたタイムアウト時間（閾値）Ｔ１に達し、ＳＯＮ測定報告が記録される。その後、禁止タイマーＣＮＴ２がスタートし、タイミングｔ４から、ＵＥはＳＯＮ測定のために、ＭＢＳＦＮ品質を測定する必要がなくなる。【０１２３】
タイミングｔ５では、禁止タイマーＣＮＴ２が予め定められたタイムアウト時間（閾値）Ｔ２に達し、以降、ＵＥのＳＯＮ測定の禁止は解かれる。ＵＥは自ＭＢＳＦＮ品質をチェックし、閾値Ｑ２よりも低いことを検出し、タイマーＣＮＴ３をスタートさせる。【０１２４】
タイミングｔ６では、タイマーＣＮＴ３が予め定められたタイムアウト時間（閾値）Ｔ３に達し、ＵＥはＭＢＳＦＮエリア外であると考えられることから、ＳＯＮ測定は不要とされ、タイマーＣＮＴ２をスタートさせる。【０１２５】
特に制限されないが、タイマーＣＮＴ１、ＣＮＴ３のタイムアウト時間Ｔ１、Ｔ３は、数秒程度であり、タイマーのＣＮＴ２のタイムアウト時間Ｔ２は分、時間のオーダである。【０１２６】
ＳＯＮ測定関連パラメータＴ１、Ｔ２、Ｔ３、Ｑ１、Ｑ２はＭＴＣＨ伝送に対する制御情報の一部としてＭＣＣＨ経由で送信される。【０１２７】
さらに、自ＭＢＳＦＮの品質が閾値Ｑ１を下回ると、隣接セルからの干渉を測定するように設定してもよい。図１９には、ＵＥがＭＢＳＦＮエリアを通過するに際し、１つのセルが、同一周波数、時間資源にて、非ＭＢＳＦＮデータを送信することで、ＵＥ側のＭＢＳＦＮの受信に干渉する例が模式的に示されている。ＵＥが干渉セル（ｉｎｔｅｒｆｅｒｅｉｎｇ  ｃｅｌｌ）に近づくと、自ＭＢＳＦＮの品質は劣化する。そこで、ＵＥは、他のセルの品質の測定を行う。すなわち、隣接セルの測定を行うことで、ＭＢＳＦＮ伝送において、どのセルが干渉のもとであるかを検出する。干渉セルを見つけると、ＵＥは、干渉セルのＩＤを、ＳＯＮ測定報告の一部として、ネットワークに送信する。【０１２８】
上記実施例によれば、以下の構成が提供される。【０１２９】
[１]  一の実施例の移動端末において、基地局からの無線信号の受信品質に応じて、該移動端末による回線状況に関する所定の測定の測定周期及び／又は前記所定の測定のオン・オフを決定し、前記決定に基づいて、前記所定の測定の実行を制御する移動端末が提供される。【０１３０】
[２]  上記［１］の移動端末において、
前記所定の測定は、前記移動端末から基地局へ送信する回線状況の測定報告の作成に必要な測定を含む。【０１３１】
[３]  上記［１］又は［２］の移動端末において、
前記基地局からのパイロット信号の受信品質が、
予め定められた閾値よりも高い場合、前記所定の測定をオフとし、
前記予め定められた閾値以下の場合、前記所定の測定をオンとする。【０１３２】
[４]  上記［１］乃至［３］のいずれかの移動端末において、
第１の測定周期で一のセルの基地局からのパイロット信号の受信品質を測定し、前記測定の結果、前記パイロット信号の受信品質が予め定められた第１の閾値よりも低い値であり、且つ、予め定められた第２の閾値よりも高い値である場合、他のセルの基地局からのパイロット信号の受信品質を第２の測定周期で測定する。【０１３３】
[５]  上記［４］の移動端末において、
前記一のセルの基地局からのパイロット信号の受信品質の測定の結果、前記一のセルの基地局からのパイロット信号の受信品質が前記第２の閾値以下の場合、
他のセルの基地局からのパイロット信号の受信品質を第３の測定周期で測定し、
前記一のセルの基地局からのパイロット信号の受信品質が前記第１の閾値以上の場合、他のセルの基地局からのパイロット信号の受信品質の測定は行わないように制御する。【０１３４】
[６]  上記［１］乃至［３］のいずれかの移動端末において、
基地局からのパイロット信号の受信品質が予め定められた閾値以下のとき、前記移動端末に配設された測定報告管理用のタイマーをスタートさせ、
前記パイロット信号の受信品質が前記予め定められた閾値以下の状態から前記予め定められた閾値を越えた場合、前記予め定められた閾値を越えている間、前記タイマーの計時動作を停止させ、
前記パイロット信号の受信品質が、前記予め定められた閾値以下になると、前記タイマーの計時動作を再開させ、
前記タイマーのタイムアウト発生時に、前記所定の測定の報告を記録する。【０１３５】
[７]  上記［１］乃至［３］のいずれかの移動端末において、
前記基地局からのパイロット信号の受信品質が予め定められた閾値以下のとき、前記移動端末に配設された測定報告管理用の第１のタイマーをスタートさせ、
前記パイロット信号の受信品質が予め定められた閾値以下のまま、前記第１のタイマーのタイムアウト発生時に、前記所定の測定の報告を記録するとともに、前記移動端末に配設された第２のタイマーをスタートさせ、
前記第２のタイマーの計時動作中、前記所定の測定を禁止する制御を行う。【０１３６】
[８]  上記［１］乃至［３］のいずれかの移動端末において、
前記基地局からのパイロット信号の受信品質が予め定められた閾値以下のとき、前記移動端末に配設された測定報告管理用の第１のタイマーをスタートさせ、
前記パイロット信号の受信品質が予め定められた閾値を越えたときに、前記第１のタイマーを停止させるとともに、リセット用の第２のタイマーをスタートさせ、
前記第２のタイマーのタイムアウト時、前記第１のタイマーをリセットする。【０１３７】
[９]  本発明の実施例によれば、セルの無線品質を予め定められた閾値と比較し、前記セルの無線品質が前記閾値よりも高いか低いかに応じて、自端末による回線状況の測定をコントロールする移動端末が提供される。【０１３８】
［１０］  上記［１］乃至［９］のいずれかの移動端末において、
一のセルの無線品質が予め定められた閾値以下になったとき、前記移動端末に配設されたタイマーをスタートさせ、前記一のセルに隣接するセルの無線品質の測定を周期的に行い、
前記一のセルの無線品質が前記予め定められた閾値以下の状態から前記予め定められた閾値を越えた場合、前記一のセルの無線品質が前記予め定められた閾値を越えている間、前記タイマーの計時動作を停止させるとともに、隣接セルの無線品質の周期的な測定を停止し、
前記一のセルの無線品質が、前記予め定められた閾値以下になると、前記タイマーの計時動作を再開させ、
前記タイマーのタイムアウト発生時に、測定の報告を記録する。【０１３９】
［１１］  上記［１］乃至［９］のいずれかの移動端末において、
一のセルの無線品質が予め定められた閾値以下になったとき、前記移動端末に配設された第１のタイマーをスタートさせ、前記一のセルの隣接セルの無線品質の測定を周期的に行い、
前記一のセルの無線品質が前記予め定められた閾値以下のまま前記第１のタイマーのタイムアウト発生時に、前記測定の報告を記録するとともに、前記移動端末に配設された第２のタイマーをスタートさせ、
前記第２のタイマーの計時動作中は、前記測定を禁止する制御を行う。【０１４０】
［１２］  上記［１］乃至［９］のいずれかの移動端末において、
一のセルの無線品質が予め定められた閾値以下になったとき、前記移動端末に配設された第１のタイマーをスタートさせ、前記一のセルの隣接セルの無線品質の測定を周期的に行い、
前記一のセルの無線品質が前記予め定められた閾値を越えると、前記第１のタイマーを停止させるとともに、前記移動端末に配設された第２のタイマーをスタートさせ、
前記第１のタイマーが停止状態であり、且つ、前記無線品質が予め定められた閾値を越えた状態のまま、前記第２のタイマーがタイムアウトしたとき、前記第１のタイマーをリセットする制御を行う。【０１４１】
［１３］  上記［１］乃至［９］のいずれかの移動端末において、
ハンドオーバ時、ハンドオーバ元のセルの無線品質が予め定められた閾値以下となった場合、前記移動端末に配設された測定報告管理用のタイマーをスタートさせ、ハンドオーバ完了時、前記タイマーをストップさせる。【０１４２】
［１４］  上記［９］の移動端末において、前記閾値を、セルの無線品質が常に前記閾値を越える所定の値に設定し、ハンドオーバ時、ハンドオーバ元のセルの無線品質が予め定められた閾値以下となった場合、前記移動端末に配設され測定報告に関する時間を管理するタイマーをスタートさせないようにするか、
前記タイマーのタイムアウト時間を、ハンドオーバに要する時間よりも長く設定する。【０１４３】
［１５］  上記［９］の移動端末において、
アクティブモード又はアイドルモードでのハンドオーバ時、前記閾値に関連した処理をキャンセルする。【０１４４】
［１６］  上記［９］の移動端末において、
ネットワーク境界のセルにおいて前記閾値を所定の値とし、セルの無線品質が前記閾値を越えることで、ネットワーク境界のセルでは前記測定を禁止する。【０１４５】
［１７］  上記［９］の移動端末において、
複数のキャリア／ＲＡＴ（Ｒａｄｉｏ  Ａｃｃｅｓｓ  Ｔｅｃｈｎｏｌｏｇｙ）に接続し、キャリア／ＲＡＴのそれぞれに対応して、前記閾値、又は、前記移動端末に配設され測定報告に関する時間を管理するタイマーのタイムアウト時間を設定する。【０１４６】
［１８］  上記［１７］の移動端末において、
１つのキャリア／ＲＡＴから他のキャリア／ＲＡＴへのキャリア／ＲＡＴ間のハンドオーバに要する時間を考慮して、前記タイマーのパラメータを設定する。【０１４７】
［１９］  上記［１７］の移動端末において、
１つのキャリア／ＲＡＴから他のキャリア／ＲＡＴへのキャリア／ＲＡＴ間のハンドオーバ時、前記閾値に関連した処理をキャンセルする。【０１４８】
［２０］  上記［９］の移動端末において、
ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  ｎｅｔｗｏｒｋ）の受信品質が予め定められた第１の閾値以下のとき、前記移動端末に配設された測定報告管理用の第１のタイマーをスタートさせ、前記ＭＢＳＦＮの受信品質の測定を周期的に行い、
前記第１のタイマーのタイムアウト発生時に、測定の報告を記録するとともに、前記移動端末に配設され測定禁止を管理する第２のタイマーをスタートさせ、
前記第２のタイマーのタイムアウト時、前記第１のタイマーをスタートさせ、前記ＭＢＳＦＮの受信品質の測定を周期的に行う。【０１４９】
［２１］  上記［２０］の移動端末において、
前記第２のタイマーのタイムアウト発生時にスタートした前記第１のタイマーのタイムアウト発生時に、前記測定の報告を記録するとともに、前記第２のタイマーをスタートさせ、
前記第２のタイマーのタイムアウト発生時に、前記移動端末に配設された第３のタイマーをスタートさせ、前記ＭＢＳＦＮの受信品質を前記第３のタイマーにしたがって周期的に測定し、
前記ＭＢＳＦＮの受信品質が予め定められた第２の閾値より低い場合には、前記第３のタイマーのタイムアウト発生時に、前記第２のタイマーをスタートさせる。【０１５０】
［２２］  上記［２１］の移動端末において、
前記第１乃至第３のタイマーのタイムアウト発生時、前記第１及び第２の閾値は、対応するＭＣＣＨ（ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）  Ｃｏｎｔｒｏｌ  ＣＨａｎｎｅｌ）伝送に対する制御情報の一部としてＭＣＣＨ経由で移動端末に送信される。【０１５１】
［２３］  上記［９］の移動端末において、
ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  ｎｅｔｗｏｒｋ）の受信品質が予め定められた閾値を下回ると、他のセルの測定を行う。【０１５２】
［２４］本発明の実施例によれば、基地局と、上記［１］乃至［２３］のいずれかの移動端末を含む無線通信システムが提供される。【０１５３】
［２５］  本発明の実施例によれば、基地局からのパイロット信号の受信品質に応じて、回線状況に関する所定の測定の測定周期及び／又は測定のオン・オフを決定し、前記決定に基づいて前記所定の測定の実行を制御する移動端末に対して、前記パイロット信号を送信し、前記移動端末から前記所定の測定の報告を受信する基地局が提供される。【０１５４】
［２６］  本発明の他の実施例によれば、基地局からのパイロット信号の受信品質に応じて、回線状況に関する所定の測定の測定周期及び／又は測定のオン・オフを決定し、前記決定に基づいて前記所定の測定の実行を制御する移動端末から、前記基地局を介して送信される回線状況の測定結果の報告を受信し、前記測定の報告に基づき、無線パラメータの最適化を行う管理サーバが提供される。【０１５５】
［２７］  本発明の実施例によれば、移動端末が、基地局からの無線信号の受信品質に応じて、回線状況に関する所定の測定の測定周期及び／又は前記所定の測定のオン・オフを決定し、前記移動端末は、前記決定に基づいて、前記所定の測定の実行を制御する、無線通信方法が提供される。【０１５６】
［２８］  本発明の他の実施例によれば、移動端末が、セルの無線品質を予め定められた閾値と比較し、前記セルの無線品質が前記閾値よりも高いか低いかに応じて、移動端末による回線状況の測定をコントロールする無線通信方法が提供される。【０１５７】
［２９］上記［２７］又は［２８］の無線通信方法において、前記移動端末は、
一のセルの無線品質が予め定められた閾値以下になったとき、前記移動端末に配設されたタイマーをスタートさせ、前記一のセルに隣接するセルの無線品質の測定を周期的に行い、
前記一のセルの無線品質が前記予め定められた閾値以下の状態から前記予め定められた閾値を越えた場合、前記一のセルの無線品質が前記予め定められた閾値を越えている間、前記タイマーの計時動作を停止させるとともに、隣接セルの無線品質の周期的な測定を停止させ、
前記一のセルの無線品質が、前記予め定められた閾値以下になると、前記タイマーの計時動作を再開させ、
前記タイマーのタイムアウト発生時に、測定の報告を記録する。【０１５８】
［３０］  上記［２７］又は［２８］の無線通信方法において、前記移動端末は、
一のセルの無線品質が予め定められた閾値以下になったとき、前記移動端末に配設された第１のタイマーをスタートさせ、前記一のセルの隣接セルの無線品質の測定を周期的に行い、
前記一のセルの無線品質が前記予め定められた閾値以下のまま前記第１のタイマーのタイムアウト発生時に、前記測定の報告を記録するとともに、前記移動端末に配設された第２のタイマーをスタートさせ、
前記第２のタイマーの計時動作中は、前記測定を禁止する制御を行う。【０１５９】
［３１］  上記［２７］又は［２８］の無線通信方法において、前記移動端末は、
一のセルの無線品質が予め定められた閾値以下になったとき、前記移動端末に配設された第１のタイマーをスタートさせ、前記一のセルの隣接セルの無線品質の測定を周期的に行い、
前記一のセルの無線品質が前記予め定められた閾値を越えると、前記第１のタイマーを停止させるとともに、前記移動端末に配設された第２のタイマーをスタートさせ、
前記第１のタイマーが停止状態であり、前記無線品質が予め定められた閾値を越えた状態のまま、前記第２のタイマーがタイムアウトしたとき、前記第１のタイマーをリセットする制御を行う。【０１６０】
［３２］  上記［２８］の無線通信方法において、前記移動端末は、
ハンドオーバ時、ハンドオーバ元のセルの無線品質が予め定められた閾値以下となった場合、前記移動端末に配設された測定報告管理用のタイマーをスタートさせ、ハンドオーバ完了時、前記タイマーをストップさせる。【０１６１】
［３３］  上記［２８］の無線通信方法において、前記移動端末は、
前記閾値を、セルの無線品質が常に前記閾値を越える所定の値に設定し、ハンドオーバ時、ハンドオーバ元のセルの無線品質が予め定められた閾値以下となった場合、前記移動端末に配設され測定報告に関する時間を管理するタイマーをスタートさせないようにするか、
前記タイマーのタイムアウト時間を、ハンドオーバに要する時間よりも長く設定する。【０１６２】
［３４］  上記「２８」の無線通信方法において、前記移動端末は、
アクティブモード又はアイドルモードでのハンドオーバ時、前記閾値に関連した処理をキャンセルする。【０１６３】
［３５］  上記［２８］の無線通信方法において、前記移動端末は、
ネットワーク境界のセルにおいて前記閾値を所定の値とし、セルの無線品質が前記閾値を越えることで、ネットワーク境界のセルでは前記測定を禁止する。【０１６４】
［３６］  上記［２８］の無線通信方法において、前記移動端末は、
複数のキャリア／ＲＡＴ（Ｒａｄｉｏ  Ａｃｃｅｓｓ  Ｔｅｃｈｎｏｌｏｇｙ）に接続し、キャリア／ＲＡＴのそれぞれに対応して、前記閾値、又は、前記移動端末に配設され測定報告に関する時間を管理するタイマーのタイムアウト時間を設定する。【０１６５】
［３７］  上記［３６］の無線通信方法において、前記移動端末は、
１つのキャリア／ＲＡＴから他のキャリア／ＲＡＴへのキャリア／ＲＡＴ間のハンドオーバに要する時間を考慮して、前記タイマーのパラメータを設定する。【０１６６】
［３８］  上記［３６］の無線通信方法において、前記移動端末は、
１つのキャリア／ＲＡＴから他のキャリア／ＲＡＴへのキャリア／ＲＡＴ間のハンドオーバ時、前記閾値に関連した処理をキャンセルする。【０１６７】
［３９］  上記[２８]の無線通信方法において、前記移動端末は、
ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  ｎｅｔｗｏｒｋ）の受信品質が予め定められた第１の閾値以下のとき、前記移動端末に配設された測定報告管理用の第１のタイマーをスタートさせ、前記ＭＢＳＦＮの受信品質の測定を周期的に行い、
前記第１のタイマーのタイムアウト発生時に、測定の報告を基地局に送信するか移動端末内部に記録するとともに、前記移動端末に配設され測定禁止を管理する第２のタイマーをスタートさせ、
前記第２のタイマーのタイムアウト時、前記第１のタイマーをスタートさせ、前記ＭＢＳＦＮの受信品質の測定を周期的に行う。【０１６８】
［４０］  上記［３９］の無線通信方法において、前記移動端末は、
前記第２のタイマーのタイムアウト発生時にスタートした前記第１のタイマーのタイムアウト発生時に、前記測定の報告を基地局に送信するか移動端末内部に記録するとともに、前記第２のタイマーをスタートさせ、
前記第２のタイマーのタイムアウト発生時に、前記移動端末に配設された第３のタイマーをスタートさせ、前記ＭＢＳＦＮの受信品質を前記第３のタイマーにしたがって周期的に測定し、
前記ＭＢＳＦＮの受信品質が予め定められた第２の閾値より低い場合には、前記第３のタイマーのタイムアウト発生時に、前記第２のタイマーをスタートさせる。【０１６９】
［４１］  上記［４０］の無線通信方法において、
前記第１乃至第３のタイマーのタイムアウト発生時、前記第１及び第２の閾値は、対応するＭＣＣＨ（ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）  Ｃｏｎｔｒｏｌ  ＣＨａｎｎｅｌ）伝送に対する制御情報の一部としてＭＣＣＨ経由で移動端末に送信される。【０１７０】
［４２］  本発明の実施例によれば、ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  ｎｅｔｗｏｒｋ）の受信品質が予め定められた閾値を下回ると、前記移動端末は、他のセルの測定を行う無線通信方法が提供される。【０１７１】
［４３］  本発明の実施例によれば、基地局からの無線信号の受信品質に応じて、回線状況に関する所定の測定の測定周期及び／又は前記所定の測定のオン・オフを決定し、前記決定に基づいて前記所定の測定の実行を制御する処理を、移動端末を構成するコンピュータに実行させるプログラムが提供される。【０１７２】
［４４］本発明の実施例によれば、セルの無線品質を予め定められた閾値と比較し、前記セルの無線品質が前記閾値よりも高いか低いかに応じて、移動端末による回線状況の測定をコントロールする処理を、移動端末を構成するコンピュータに実行させるプログラムが提供される。【０１７３】
［４５］  上記［４３］又は［４４］のプログラムにおいて、
一のセルの無線品質が予め定められた閾値以下になったとき、前記移動端末に配設されたタイマーをスタートさせ、前記一のセルに隣接するセルの無線品質の測定を周期的に行い、
前記一のセルの無線品質が前記予め定められた閾値以下の状態から前記予め定められた閾値を越えた場合、前記予め定められた閾値を越えている間、前記タイマーの計時動作を停止させるとともに、隣接セルの無線品質の周期的な測定を停止させ、
前記一のセルの無線品質が、前記予め定められた閾値以下になると、前記タイマーの計時動作を再開させ、
前記タイマーのタイムアウト発生時に、測定の報告を記録する、
上記一連の処理を前記コンピュータに実行させるプログラムを含む。【０１７４】
［４６］  上記［４３］又は［４４］のプログラムにおいて、
一のセルの無線品質が予め定められた閾値以下になったとき、前記移動端末に配設された第１のタイマーをスタートさせ、前記一のセルの隣接セルの無線品質の測定を周期的に行い、
前記一のセルの無線品質が前記予め定められた閾値以下のまま前記第１のタイマーのタイムアウト発生時に、前記測定の報告を記録するとともに、前記移動端末に配設された第２のタイマーをスタートさせ、
前記第２のタイマーの計時動作中は、前記測定を禁止する制御を行う、
上記一連の処理を前記コンピュータに実行させるプログラムを含む。【０１７５】
［４７］  上記［４３］又は［４４］のプログラムにおいて、
一のセルの無線品質が予め定められた閾値以下になったとき、前記移動端末に配設された第１のタイマーをスタートさせ、前記一のセルの隣接セルの無線品質の測定を周期的に行い、
前記一のセルの無線品質が前記予め定められた閾値を越えると、前記第１のタイマーを停止させるとともに、前記移動端末に配設された第２のタイマーをスタートさせ、
前記第１のタイマーが停止状態であり、前記無線品質が予め定められた閾値を越えた状態のまま、前記第２のタイマーがタイムアウトしたとき、前記第１のタイマーをリセットする制御を行う、
上記一連の処理を前記コンピュータに実行させるプログラムを含む。【０１７６】
［４８］  上記［４３］乃至［４７］のいずれか記載のプログラムにおいて、
ハンドオーバ時、ハンドオーバ元のセルの無線品質が予め定められた閾値以下となった場合、前記移動端末に配設された測定報告管理用のタイマーをスタートさせ、ハンドオーバ完了時、前記タイマーをストップさせる処理を前記コンピュータに実行させるプログラムを含む。【０１７７】
［４９］  上記［４４］のプログラムにおいて、
前記閾値を、セルの無線品質が常に前記閾値を越える所定の値に設定し、ハンドオーバ時、ハンドオーバ元のセルの無線品質が予め定められた閾値以下となった場合、前記移動端末に配設された測定報告に関する時間を管理するタイマーをスタートさせないようにするか、
前記タイマーのタイムアウト時間を、ハンドオーバに要する時間よりも長く設定する、処理を前記コンピュータに実行させるプログラムを含む。【０１７８】
［５０］  上記［４４］のプログラムにおいて、
アクティブモード又はアイドルモードのハンドオーバ時、前記閾値に関連した処理をキャンセルする処理を前記コンピュータに実行させるプログラムを含む。【０１７９】
［５１］  上記［４４］のプログラムにおいて、
ネットワーク境界のセルにおいて前記閾値を所定の値とし、セルの無線品質が前記閾値を越えることで、ネットワーク境界のセルでは前記測定を禁止する処理を前記コンピュータに実行させるプログラムを含む。【０１８０】
［５２］  上記［４４］のプログラムにおいて、
複数のキャリア／ＲＡＴ（Ｒａｄｉｏ  Ａｃｃｅｓｓ  Ｔｅｃｈｎｏｌｏｇｙ）に接続し、キャリア／ＲＡＴのそれぞれに対応して、前記閾値、又は、前記移動端末に配設された測定報告に関する時間を管理するタイマーのタイムアウト時間を設定する処理を前記コンピュータに実行させるプログラムを含む。【０１８１】
［５３］  上記［５２］のプログラムにおいて、
１つのキャリア／ＲＡＴから他のキャリア／ＲＡＴへのキャリア／ＲＡＴ間のハンドオーバに要する時間を考慮して、前記タイマーのパラメータを設定する処理を前記コンピュータに実行させるプログラムを含む。【０１８２】
［５４］  上記［５２］のプログラムにおいて、
１つのキャリア／ＲＡＴから他のキャリア／ＲＡＴへのキャリア／ＲＡＴ間のハンドオーバ時、前記閾値に関連した処理をキャンセルする処理を前記コンピュータに実行させるプログラムを含む。【０１８３】
［５５］  上記［４４］のプログラムにおいて、
ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  ｎｅｔｗｏｒｋ）の受信品質が予め定められた第１の閾値以下のとき、前記移動端末に配設された測定報告管理用の第１のタイマーをスタートさせ、前記ＭＢＳＦＮの受信品質の測定を周期的に行い、
前記第１のタイマーのタイムアウト発生時に、測定の報告を基地局に送信するか移動端末内部に記録するとともに、測定禁止を管理する第２のタイマーをスタートさせ、
前記第２のタイマーのタイムアウト時、前記第１のタイマーをスタートさせ、前記ＭＢＳＦＮの受信品質の測定を周期的に行う、
上記一連の処理を前記コンピュータに実行させるプログラムを含む。【０１８４】
［５６］  上記［５５］のプログラムにおいて、
前記第２のタイマーのタイムアウト発生時にスタートした前記第１のタイマーのタイムアウト発生時に、前記測定の報告を基地局に送信するか移動端末内部に記録するとともに、前記第２のタイマーをスタートさせ、
前記第２のタイマーのタイムアウト発生時に、第３のタイマーをスタートさせ、前記ＭＢＳＦＮの受信品質を周期的に測定し、
前記ＭＢＳＦＮの受信品質が予め定められた第２の閾値より低い場合には、前記第３のタイマーのタイムアウト発生時に、前記第２のタイマーをスタートさせる、
上記一連の処理を前記コンピュータに実行させるプログラムを含む。【０１８５】
［５７］  上記［５６］のプログラムにおいて、
ＭＣＣＨ（ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）  Ｃｏｎｔｒｏｌ  ＣＨａｎｎｅｌ）伝送に対する制御情報の一部としてＭＣＣＨ経由で送信される前記第１乃至第３のタイマーのタイムアウト発生時、前記第１及び第２の閾値を受信する処理を前記コンピュータに実行させるプログラムを含む。【０１８６】
［５８］  上記［４４］のプログラムにおいて、
ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  ｎｅｔｗｏｒｋ）の受信品質が予め定められた閾値を下回ると、他のセルの測定を行う処理を前記コンピュータに実行させるプログラムを含む。【０１８７】
［５９］本発明の実施例によれば、基地局側から送信された指示を受けて、移動端末は所定のモードに設定され、前記移動端末は、前記所定のモードにおいて、基地局からの無線信号の受信品質の測定結果と予め定められた閾値との比較結果に基づき、
基地局へ報告する回線状況情報の取得のために前記移動端末によって行われる、回線状況に関する所定の測定の測定周期、及び／又は、前記所定の測定のオン・オフ、
を決定し、
前記所定の測定の実行を、前記決定にしたがって制御するシステムが提供される。【０１８８】
なお、本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【図１】
0005487968.tif 000002
【図２】
0005487968.tif 000003
【図３】
0005487968.tif 000004
【図４】
0005487968.tif 000005
【図５】
0005487968.tif 000006
【図６】
0005487968.tif 000007
【図７】
0005487968.tif 000008
【図８】
0005487968.tif 000009
【図９】
0005487968.tif 000010
【図１０】
0005487968.tif 000011
【図１１】
0005487968.tif 000012
【図１２】
0005487968.tif 000013
【図１３】
0005487968.tif 000014
【図１４】
0005487968.tif 000015
【図１５】
0005487968.tif 000016
【図１６】
0005487968.tif 000017
【図１７】
0005487968.tif 000018
【図１８】
0005487968.tif 000019
【図１９】
0005487968.tif 000020